(57)【特許請求の範囲】
【請求項１】
無線通信システムにおいて送信電力の決定方法であって、
前記方法は端末により行われてなり、
短い送信時間間隔(ｓｈｏｒｔ ｔｒａｎｓｍｉｓｓｉｏｎ ｔｉｍｅ ｉｎｔｅｒｖａｌ；ｓＴＴＩ)の半持続的スケジューリング(ｓｅｍｉ−ｐｅｒｓｉｓｔｅｎｔ ｓｃｈｅｄｕｌｉｎｇ；ＳＰＳ)設定を受信する段階；
前記受信された設定によって、前記ＳＰＳ関連送信電力制御のための制御情報を受信する段階；及び
前記受信された制御情報に含まれた送信電力制御(ｔｒａｎｓｍｉｔ ｐｏｗｅｒ ｃｏｎｔｒｏｌ；ＴＰＣ)命令を使用して前記ＳＰＳ関連送信電力を決定する段階を含み、
前記ｓＴＴＩは１ｍｓより短い長さのＴＴＩを有し、
前記制御情報は前記ｓＴＴＩのＳＰＳ関連ＴＰＣ命令を含む、複数のＴＴＩ長さ各々のためのＴＰＣ命令を含むことを特徴とする、方法。
【請求項２】
前記端末の送信電力制御が累積値基盤の動作又は絶対値基盤の動作のうちのいずれかであるかがＴＴＩ長さごとに設定されることを特徴とする、請求項１に記載の方法。
【請求項３】
ユーザ機器(ｕｓｅｒ ｅｑｕｉｐｍｅｎｔ，ＵＥ)は前記端末のサービングセルに対して前記ｓＴＴＩが設定されるか、又は、前記端末のサービングセルに対して前記ｓＴＴＩ関連設定が再設定されると、
前記ＳＰＳ関連送信電力の決定に使用される電力制御調整状態のリセット後の初期値は０に設定されることを特徴とする、請求項１又は２に記載の方法。
【請求項４】
前記端末の送信電力制御が累積値基盤の動作により設定されると、及び、ユーザ機器(ｕｓｅｒ ｅｑｕｉｐｍｅｎｔ，ＵＥ)は前記端末のサービングセルに対して前記ｓＴＴＩが設定されるか、又は、前記端末のサービングセルに対して前記ｓＴＴＩ関連設定が再設定されると、
前記サービングセルに対して累積リセットを行う段階を含むことを特徴とする、請求項１又は２に記載の方法。
【請求項５】
ユーザ機器(ｕｓｅｒ ｅｑｕｉｐｍｅｎｔ，ＵＥ)は前記端末のためのサービングセルに対して前記ｓＴＴＩが設定されると、
前記ＳＰＳ関連送信電力の決定に使用される電力制御調整状態のリセット後の初期値は所定の長さのＴＴＩ基盤の累積値に設定されることを特徴とする、請求項１又は２に記載の方法。
【請求項６】
前記制御情報は前記所定の長さの前記ＴＴＩ基盤の制御チャネル上で受信されることを特徴とする、請求項５に記載の方法。
【請求項７】
前記所定の長さは１ｍｓであることを特徴とする、請求項５又は６に記載の方法。
【請求項８】
無線通信システムにおいて送信電力を決定する端末であって、
前記端末は、
受信機及び送信機;及び
前記受信機及び送信機を制御するプロセッサを備え、
短い送信時間間隔(ｓｈｏｒｔ ｔｒａｎｓｍｉｓｓｉｏｎ ｔｉｍｅ ｉｎｔｅｒｖａｌ；ｓＴＴＩ)の半持続的スケジューリング(ｓｅｍｉ−ｐｅｒｓｉｓｔｅｎｔ ｓｃｈｅｄｕｌｉｎｇ；ＳＰＳ)設定を受信し、
前記受信された設定によって、前記ＳＰＳ関連送信電力制御のための制御情報を受信し、また
前記受信された制御情報に含まれた送信電力制御(ｔｒａｎｓｍｉｔ ｐｏｗｅｒ ｃｏｎｔｒｏｌ；ＴＰＣ)命令を使用して前記ＳＰＳ関連送信電力を決定し、
前記ｓＴＴＩは１ｍｓより短い長さのＴＴＩを有し、
前記制御情報は前記ｓＴＴＩのＳＰＳ関連ＴＰＣ命令を含む、複数のＴＴＩ長さ各々のためのＴＰＣ命令を含むことを特徴とする、端末。
【請求項９】
前記端末の送信電力制御が累積値基盤の動作又は絶対値基盤の動作のうちのいずれかであるかがＴＴＩ長さごとに設定されることを特徴とする、請求項８に記載の端末。
【請求項１０】
ユーザ機器(ｕｓｅｒ ｅｑｕｉｐｍｅｎｔ，ＵＥ)は前記端末のサービングセルに対して前記ｓＴＴＩが設定されるか、又は、前記端末のサービングセルに対して前記ｓＴＴＩ関連設定が再設定されると、
前記ＳＰＳ関連送信電力の決定に使用される電力制御調整状態のリセット後の初期値は０に設定されることを特徴とする、請求項８又は９に記載の端末。
【請求項１１】
前記端末の送信電力制御が累積値基盤の動作により設定されると、及び、ユーザ機器(ｕｓｅｒ ｅｑｕｉｐｍｅｎｔ，ＵＥ)は前記端末のサービングセルに対して前記ｓＴＴＩが設定されるか、又は前記端末のための前記サービングセルに対して前記ｓＴＴＩ関連設定が再設定されると、
前記プロセッサは前記サービングセルに対して累積リセットを行うことを特徴とする、請求項８又は９に記載の端末。
【請求項１２】
ユーザ機器(ｕｓｅｒ ｅｑｕｉｐｍｅｎｔ，ＵＥ)は前記端末のサービングセルに対して前記ｓＴＴＩが設定されると、
前記ＳＰＳ関連送信電力の決定に使用される電力制御調整状態のリセット後の初期値は所定の長さのＴＴＩ基盤の累積値に設定されることを特徴とする、請求項８に記載の端末。
【請求項１３】
前記制御情報は前記所定の長さの前記ＴＴＩ基盤の制御チャネル上で受信されることを特徴とする、請求項１２に記載の端末。
【請求項１４】
前記所定の長さは１ｍｓであることを特徴とする、請求項１２又は１３に記載の端末。
【発明の詳細な説明】
【技術分野】
【０００１】
本発明は無線通信システムに関し、より具体的には、複数の送信時間間隔、複数のプロセシング時間又は複数のニューマロロジーなどを支援する送信電力制御のための方法及びそのための装置に関する。
【背景技術】
【０００２】
パケットデータの遅延(ｌａｔｅｎｃｙ)は重要な性能メートル(ｍｅｔｒｉｃ)の１つであり、これを減らして、より早いインターネットアクセスを最終ユーザ(ｅｎｄ ｕｓｅｒ)に提供することは、ＬＥＴのみならず、次世代移動通信システム、いわゆる新ラット(ｎｅｗ ＲＡＴ)の設計においても重要な課題の１つといえる。
【０００３】
本発明は、かかる遅延の減少を支援する無線通信システムにおける上りリンク信号送信又は受信方案に関する。
【発明の概要】
【発明が解決しようとする課題】
【０００４】
本発明は、搬送波併合システムにおける複数の送信時間間隔、複数のプロセシング時間又は複数のニューマロロジーなどを有する端末の送信電力の決定動作に関する。
【０００５】
本発明で遂げようとする技術的課題は以上で言及した事項に限定されず、言及していない別の技術的課題は、以下に説明する本発明の実施例から、本発明の属する技術の分野における通常の知識を有する者に明確に理解されるであろう。
【課題を解決するための手段】
【０００６】
本発明の一実施例による無線通信システムにおいて、送信電力の決定方法であって、該方法は端末により行われ、短い送信時間間隔(ｓｈｏｒｔ ｔｒａｎｓｍｉｓｓｉｏｎ ｔｉｍｅ ｉｎｔｅｒｖａｌ；ｓＴＴＩ)の半持続的スケジューリング(ｓｅｍｉ−ｐｅｒｓｉｓｔｅｎｔ ｓｃｈｅｄｕｌｉｎｇ；ＳＰＳ)設定を受信する段階；該受信された設定によって、ＳＰＳ関連送信電力制御のための制御情報を受信する段階；及び受信された制御情報に含まれた送信電力制御(ｔｒａｎｓｍｉｔ ｐｏｗｅｒ ｃｏｎｔｒｏｌ；ＴＰＣ)命令を使用してＳＰＳ関連送信電力を決定する段階を含み、該制御情報はｓＴＴＩのＳＰＳ関連ＴＰＣ命令を含む、複数のＴＴＩ長さ各々のためのＴＰＣ命令を含む。
【０００７】
さらに又はその代わりに、端末の送信電力制御が累積値基盤の動作又は絶対値基盤の動作のうちのいずれかであるかがＴＴＩ長さごとに設定される。
【０００８】
さらに又はその代わりに、端末のためのサービングセルに対してｓＴＴＩが設定されるか、又はｓＴＴＩ関連設定が再設定されると、ＳＰＳ関連送信電力の決定に使用される電力制御調整状態のリセット後の初期値は０に設定される。
【０００９】
さらに又はその代わりに、端末の送信電力制御が累積値基盤の動作により設定される場合、端末のためのサービングセルに対してｓＴＴＩが設定されるか、又はｓＴＴＩ関連設定が再設定されると、該方法はサービングセルに対して累積リセットを行う段階をさらに含む。
【００１０】
さらに又はその代わりに、端末のためのサービングセルに対してｓＴＴＩが設定されるか、又はｓＴＴＩ関連設定が再設定されると、ＳＰＳ関連送信電力の決定に使用される電力制御調整状態のリセット後の初期値は所定の長さのＴＴＩ基盤の累積値に設定される。
【００１１】
さらに又はその代わりに、制御情報は所定の長さのＴＴＩ基盤の制御チャネル上で受信される。
【００１２】
さらに又はその代わりに、制御情報をスクランブルした識別子は所定の長さのＴＴＩ基盤の制御情報をスクランブルした識別子とは異なる。
【００１３】
本発明の他の一実施例による無線通信システムにおいて、送信電力を決定する端末であって、端末は受信機及び送信機;及び受信機及び送信機を制御するプロセッサを含み、短い送信時間間隔(ｓｈｏｒｔ ｔｒａｎｓｍｉｓｓｉｏｎ ｔｉｍｅ ｉｎｔｅｒｖａｌ；ｓＴＴＩ)の半持続的スケジューリング(ｓｅｍｉ−ｐｅｒｓｉｓｔｅｎｔ ｓｃｈｅｄｕｌｉｎｇ；ＳＰＳ)設定を受信し、該受信された設定によって、ＳＰＳ関連送信電力制御のための制御情報を受信し、また該受信された制御情報に含まれた送信電力制御(ｔｒａｎｓｍｉｔ ｐｏｗｅｒ ｃｏｎｔｒｏｌ；ＴＰＣ)命令を使用してＳＰＳ関連送信電力を決定し、制御情報はｓＴＴＩのＳＰＳ関連ＴＰＣ命令を含む、複数のＴＴＩ長さ各々のためのＴＰＣ命令を含む。
【００１４】
さらに又はその代わりに、端末の送信電力制御が累積値基盤の動作又は絶対値基盤の動作のうちのいずれかであるかがＴＴＩ長さごとに設定される。
【００１５】
さらに又はその代わりに、端末のためのサービングセルに対してｓＴＴＩが設定されるか、又はｓＴＴＩ関連設定が再設定されると、ＳＰＳ関連送信電力の決定に使用される電力制御調整状態のリセット後の初期値は０に設定される。
【００１６】
さらに又はその代わりに、端末の送信電力制御が累積値基盤の動作により設定される場合、端末のためのサービングセルに対してｓＴＴＩが設定されるか、又はｓＴＴＩ関連設定が再設定されると、プロセッサはサービングセルに対して累積リセットを行う。
【００１７】
さらに又はその代わりに、端末のためのサービングセルに対してｓＴＴＩが設定されるか、又はｓＴＴＩ関連設定が再設定されると、ＳＰＳ関連送信電力の決定に使用される電力制御調整状態のリセット後の初期値は所定の長さのＴＴＩ基盤の累積値に設定される。
【００１８】
さらに又はその代わりに、制御情報は所定の長さのＴＴＩ基盤の制御チャネル上で受信される。
【００１９】
さらに又はその代わりに、制御情報をスクランブルした識別子は所定の長さのＴＴＩ基盤の制御情報をスクランブルした識別子とは異なる。
【００２０】
上記の課題解決方法は本発明の実施例の一部に過ぎず、当該技術の分野における通常の知識を有する者であれば、本願発明の技術的特徴が反映された様々な実施例を以下に説明する本発明の詳細な説明から導出できるであろう。
【発明の効果】
【００２１】
本発明の実施例によれば、送信電力制御又は決定を効率的に行うことができる。
【００２２】
本発明から得られる効果は以上で言及した効果に制限されず、言及していない他の効果は、以下の記載から、本発明の属する技術の分野における通常の知識を有する者に明確に理解されるであろう。
【図面の簡単な説明】
【００２３】
本明細書に添付する図面は本発明に対する理解を提供するためのものであり、本発明の多様な実施形態を示し、本発明の説明とともに本発明の技術的思想を説明するためのものである。
【００２４】
【図１】無線通信システムで使用される無線フレーム構造の一例を示す図である。
【図２】無線通信システムにおいて下りリンク／上りリンク(ＤＬ／ＵＬ)スロット構造の一例を示す図である。
【図３】３ＧＰＰ ＬＴＥ／ＬＴＥ−Ａシステムで使用される下りリンク(ｄｏｗｎｌｉｎｋ、ＤＬ)サブフレームの構造を例示する図である。
【図４】３ＧＰＰ ＬＴＥ／ＬＴＥ−Ａシステムで使用される上りリンク(ｕｐｌｉｎｋ、ＵＬ)サブフレームの構造を例示する図である。
【図５】ユーザ平面の遅延(ｌａｔｅｎｃｙ)減少によるＴＴＩ長さの減少を示す図である。
【図６】１つのサブフレーム内に複数の短いＴＴＩが設定された例を示す図である。
【図７】複数の長さ(シンボル数)を有する短いＴＴＩで構成されたＤＬサブフレーム構造を示す図である。
【図８】２つのシンボル又は３つのシンボルの短いＴＴＩで構成されたＤＬサブフレーム構造を示す図である。
【図９】本発明の実施例を具現するための装置を示すブロック図である。
【発明を実施するための形態】
【００２５】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００２６】
場合によっては、本発明の概念が曖昧になることを避けるために、公知の構造及び装置を省略したり、各構造及び装置の核心機能を中心にしたブロック図の形式で示すことができる。また、本明細書全体にわたって同一の構成要素については、同一の図面符号を付して説明する。
【００２７】
本発明において、ユーザ機器(ｕｓｅｒ ｅｑｕｉｐｍｅｎｔ，ＵＥ)は、固定していても、移動性を有していてもよいもので、基地局(ｂａｓｅ ｓｔａｔｉｏｎ，ＢＳ)と通信してユーザデータ及び／又は各種制御情報を送受信する各種機器を含む。ＵＥを、端末(Ｔｅｒｍｉｎａｌ Ｅｑｕｉｐｍｅｎｔ)、ＭＳ(Ｍｏｂｉｌｅ Ｓｔａｔｉｏｎ)、ＭＴ(Ｍｏｂｉｌｅ Ｔｅｒｍｉｎａｌ)、ＵＴ(Ｕｓｅｒ Ｔｅｒｍｉｎａｌ)、ＳＳ(Ｓｕｂｓｃｒｉｂｅ Ｓｔａｔｉｏｎ)、無線機器(ｗｉｒｅｌｅｓｓ ｄｅｖｉｃｅ)、ＰＤＡ(Ｐｅｒｓｏｎａｌ Ｄｉｇｉｔａｌ Ａｓｓｉｓｔａｎｔ)、無線モデム(ｗｉｒｅｌｅｓｓ ｍｏｄｅｍ)、携帯機器(ｈａｎｄｈｅｌｄ ｄｅｖｉｃｅ)などと呼ぶこともできる。また、本発明において、ＢＳは一般に、ＵＥ及び／又は他のＢＳと通信する固定局(ｆｉｘｅｄ ｓｔａｔｉｏｎ)を意味し、ＵＥ及び他のＢＳと通信して各種データ及び制御情報を交換する。ＢＳを、ＡＢＳ(Ａｄｖａｎｃｅｄ Ｂａｓｅ Ｓｔａｔｉｏｎ)、ＮＢ(Ｎｏｄｅ−Ｂ)、ｅＮＢ(ｅｖｏｌｖｅｄ−ＮｏｄｅＢ)、ＢＴＳ(Ｂａｓｅ Ｔｒａｎｓｃｅｉｖｅｒ Ｓｙｓｔｅｍ)、アクセスポイント(Ａｃｃｅｓｓ Ｐｏｉｎｔ)、ＰＳ(Ｐｒｏｃｅｓｓｉｎｇ Ｓｅｒｖｅｒ)、送信ポイント(ｔｒａｎｓｍｉｓｓｉｏｎ ｐｏｉｎｔ；ＴＰ)などと呼ぶこともできる。以下の本発明に関する説明では、ＢＳをｅＮＢと総称する。
【００２８】
本発明でいうノード(ｎｏｄｅ)とは、ユーザ機器と通信して無線信号を送信／受信できる固定した地点(ｐｏｉｎｔ)を指す。様々な形態のｅＮＢをその名称にかかわらずノードとして用いることができる。例えば、ＢＳ、ＮＢ、ｅＮＢ、ピコ−セルｅＮＢ(ＰｅＮＢ)、ホームｅＮＢ(ＨｅＮＢ)、リレー、リピータなどをノードとすることができる。また、ノードは、ｅＮＢでなくてもよい。例えば、無線リモートヘッド(ｒａｄｉｏ ｒｅｍｏｔｅ ｈｅａｄ，ＲＲＨ)、無線リモートユニット(ｒａｄｉｏ ｒｅｍｏｔｅ ｕｎｉｔ，ＲＲＵ)であってもよい。ＲＲＨ、ＲＲＵなどは一般にｅＮＢの電力レベル(ｐｏｗｅｒ ｌｅｖｅｌ)よりも低い電力レベルを有する。ＲＲＨ或いはＲＲＵ(以下、ＲＲＨ／ＲＲＵ)は一般に、光ケーブルなどの専用回線(ｄｅｄｉｃａｔｅｄ ｌｉｎｅ)でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント(ｐｏｉｎｔ)と呼ばれることもある。アンテナが基地局に集中して位置して１つのｅＮＢコントローラ(ｃｏｎｔｒｏｌｌｅｒ)によって制御される既存の(ｃｏｎｖｅｎｔｉｏｎａｌ)中央集中型アンテナシステム(ｃｅｎｔｒａｌｉｚｅｄ ａｎｔｅｎｎａ ｓｙｓｔｅｍ，ＣＡＳ)(すなわち、単一ノードシステム)と違い、多重ノードシステムにおいて複数のノードは一般に一定間隔以上で離れて位置する。これらの複数のノードは、各ノードの動作を制御したり、各ノードを通して送／受信されるデータをスケジューリング(ｓｃｈｅｄｕｌｉｎｇ)する１つ以上のｅＮＢ或いはｅＮＢコントローラによって管理することができる。各ノードは、当該ノードを管理するｅＮＢ或いはｅＮＢコントローラとケーブル(ｃａｂｌｅ)或いは専用回線(ｄｅｄｉｃａｔｅｄ ｌｉｎｅ)で接続することができる。多重ノードシステムにおいて、複数のノードへの／からの信号送信／受信には、同一のセル識別子(ｉｄｅｎｔｉｔｙ，ＩＤ)が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル(例えば、マクロ−セル／フェムト−セル／ピコ−セル)システムと見なすことができる。複数のノードのそれぞれが形成した多重セルがカバレッジによってオーバーレイする形態で構成されると、これらの多重セルが形成したネットワークを特に多重−階層(ｍｕｌｔｉ−ｔｉｅｒ)ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００２９】
以下に説明する本発明の多重ノードシステムにおいて、複数のノードに接続した１つ以上のｅＮＢ或いはｅＮＢコントローラが、前記複数のノードの一部又は全てを介してＵＥに同時に信号を送信或いは受信するように前記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム(例えば、ＣＡＳ、従来のＭＩＭＯシステム、従来の中継システム、従来のリピータシステムなど)とは異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ(Ｃｒｏｓｓ ｐｏｌａｒｉｚｅｄ)アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００３０】
複数の送信(Ｔｘ)／受信(Ｒｘ)ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ ＭＩＭＯ又はＣｏＭＰ(Ｃｏｏｒｄｉｎａｔｅｄ Ｍｕｌｔｉ−Ｐｏｉｎｔ ＴＸ／ＲＸ)という。このようなノード間協調通信のうち、協調送信技法は、ＪＰ(ｊｏｉｎｔ ｐｒｏｃｅｓｓｉｎｇ)とスケジューリング協調(ｓｃｈｅｄｕｌｉｎｇ ｃｏｏｒｄｉｎａｔｉｏｎ)とに区別できる。前者はＪＴ(ｊｏｉｎｔ ｔｒａｎｓｍｉｓｓｉｏｎ)／ＪＲ(ｊｏｉｎｔ ｒｅｃｅｐｔｉｏｎ)とＤＰＳ(ｄｙｎａｍｉｃ ｐｏｉｎｔ ｓｅｌｅｃｔｉｏｎ)とに区別し、後者はＣＳ(ｃｏｏｒｄｉｎａｔｅｄ ｓｃｈｅｄｕｌｉｎｇ)とＣＢ(ｃｏｏｒｄｉｎａｔｅｄ ｂｅａｍｆｏｒｍｉｎｇ)とに区別できる。ＤＰＳは、ＤＣＳ(ｄｙｎａｍｉｃ ｃｅｌｌ ｓｅｌｅｃｔｉｏｎ)と呼ぶこともできる。他の協調通信技法に比べて、ノード間協調通信技法のうちＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、前記複数のノードから受信した信号を合成して前記ストリームを復元する。ＪＴ／ＪＲでは、同一のストリームが複数のノードから／に送信されるため、送信ダイバーシティ(ｄｉｖｅｒｓｉｔｙ)によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャンネル状態の良いノードが通信ノードとして選択されるはずであるため、信号送信の信頼度を向上させることができる。
【００３１】
本発明でいうセル(ｃｅｌｌ)とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル(ｓｅｒｖｉｎｇ ｃｅｌｌ)という。また、特定セルのチャンネル状態／品質は、該特定セルに通信サービスを提供するｅＮＢ或いはノードとＵＥ間に形成されたチャンネル或いは通信リンクのチャンネル状態／品質を意味する。３ＧＰＰ ＬＥＴ−Ａベースのシステムにおいて、ＵＥは、特定ノードからの下りリンクチャンネル状態を、前記特定ノードのアンテナポートが前記特定ノードに割り当てられたチャンネルＣＳＩ−ＲＳ(Ｃｈａｎｎｅｌ Ｓｔａｔｅ Ｉｎｆｏｒｍａｔｉｏｎ Ｒｅｆｅｒｅｎｃｅ Ｓｉｇｎａｌ)リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成(ｒｅｓｏｕｒｃｅ ｃｏｎｆｉｇｕｒａｔｉｏｎ)、サブフレームオフセット(ｏｆｆｓｅｔ)及び送信周期(ｔｒａｎｓｍｉｓｓｉｏｎ ｐｅｒｉｏｄ)などによってＣＳＩ−ＲＳが割り当てられたサブフレームを特定するサブフレーム構成(ｓｕｂｆｒａｍｅ ｃｏｎｆｉｇｕｒａｔｉｏｎ)、ＣＳＩ−ＲＳシーケンスのうちの少なくとも１つが互いに異なることを意味する。
【００３２】
本発明において、ＰＤＣＣＨ(Ｐｈｙｓｉｃａｌ Ｄｏｗｎｌｉｎｋ Ｃｏｎｔｒｏｌ ＣＨａｎｎｅｌ)／ＰＣＦＩＣＨ(Ｐｈｙｓｉｃａｌ Ｃｏｎｔｒｏｌ Ｆｏｒｍａｔ Ｉｎｄｉｃａｔｏｒ ＣＨａｎｎｅｌ)／ＰＨＩＣＨ(Ｐｈｙｓｉｃａｌ Ｈｙｂｒｉｄ ａｕｔｏｍａｔｉｃ ｒｅｔｒａｎｓｍｉｔ ｒｅｑｕｅｓｔ Ｉｎｄｉｃａｔｏｒ ＣＨａｎｎｅｌ)／ＰＤＳＣＨ(Ｐｈｙｓｉｃａｌ Ｄｏｗｎｌｉｎｋ Ｓｈａｒｅｄ ＣＨａｎｎｅｌ)はそれぞれ、ＤＣＩ(Ｄｏｗｎｌｉｎｋ Ｃｏｎｔｒｏｌ Ｉｎｆｏｒｍａｔｉｏｎ)／ＣＦＩ(Ｃｏｎｔｒｏｌ Ｆｏｒｍａｔ Ｉｎｄｉｃａｔｏｒ)／下りリンクＡＣＫ／ＮＡＣＫ(ＡＣＫｎｏｗｌｅｇｅｍｅｎｔ／Ｎｅｇａｔｉｖｅ ＡＣＫ)／下りリンクデータを運ぶ時間−周波数リソースの集合或いはリソース要素の集合を意味する。また、ＰＵＣＣＨ(Ｐｈｙｓｉｃａｌ Ｕｐｌｉｎｋ Ｃｏｎｔｒｏｌ ＣＨａｎｎｅｌ)／ＰＵＳＣＨ(Ｐｈｙｓｉｃａｌ Ｕｐｌｉｎｋ Ｓｈａｒｅｄ ＣＨａｎｎｅｌ)／ＰＲＡＣＨ(Ｐｈｙｓｉｃａｌ Ｒａｎｄｏｍ Ａｃｃｅｓｓ ＣＨａｎｎｅｌ)はそれぞれ、ＵＣＩ(Ｕｐｌｉｎｋ Ｃｏｎｔｒｏｌ Ｉｎｆｏｒｍａｔｉｏｎ)／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素(Ｒｅｓｏｕｒｃｅ Ｅｌｅｍｅｎｔ，ＲＥ)をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００３３】
図１は、無線通信システムで用いられる無線フレーム構造の一例を示す図である。特に、図１(ａ)は、３ＧＰＰ ＬＥＴ／ＬＥＴ−Ａシステムで用いられる周波数分割デュプレックス(ｆｒｅｑｕｅｎｃｙ ｄｉｖｉｓｉｏｎ ｄｕｐｌｅｘ，ＦＤＤ)用フレーム構造を示しており、図１(ｂ)は、３ＧＰＰ ＬＥＴ／ＬＥＴ−Ａシステムで用いられる時間分割デュプレックス(ｔｉｍｅ ｄｉｖｉｓｉｏｎ ｄｕｐｌｅｘ，ＴＤＤ)用フレーム構造を示している。
【００３４】
図１を参照すると、３ＧＰＰ ＬＥＴ／ＬＥＴ−Ａシステムで用いられる無線フレームは、１０ｍｓ(３０７２００Ｔｓ)の長さを有し、１０個の均等なサイズのサブフレーム(ｓｕｂｆｒａｍｅ，ＳＦ)で構成される。１無線フレームにおける１０個のサブフレームにはそれぞれ番号を与えることができる。ここで、Ｔｓは、サンプリング時間を表し、Ｔｓ＝１／(２０４８＊１５ｋＨｚ)で表示される。それぞれのサブフレームは、１ｍｓの長さを有し、２個のスロットで構成される。１無線フレームにおいて２０個のスロットには０から１９までの番号を順次に与えることができる。それぞれのスロットは０．５ｍｓの長さを有する。１サブフレームを送信するための時間は、送信時間間隔(ｔｒａｎｓｍｉｓｓｉｏｎ ｔｉｍｅ ｉｎｔｅｒｖａｌ，ＴＴＩ)と定義される。時間リソースは、無線フレーム番号(或いは、無線フレームインデックスともいう)、サブフレーム番号(或いは、サブフレームインデックスともいう)、スロット番号(或いは、スロットインデックスともいう)などによって区別することができる。
【００３５】
無線フレームは、デュプレックス(ｄｕｐｌｅｘ)技法によって別々に構成(ｃｏｎｆｉｇｕｒｅ)することができる。例えば、ＦＤＤモードにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤモードでは下りリンク送信及び上りリンク送信が時間によって区別されるため、特定周波数帯域に対して無線フレームは下りリンクサブフレームも上りリンクサブフレームも含む。
【００３６】
表１はＴＤＤモードで無線フレームにおけるサブフレームのＤＬ−ＵＬ構成(ｃｏｎｆｉｇｕｒａｔｉｏｎ)を例示する。
【００３７】
【表１】
0006961718.tif 000002
【００３８】
表１において、Ｄは下りリンクサブフレームを、Ｕは上りリンクサブフレームを、Ｓは特異(ｓｐｅｃｉａｌ)サブフレームを表す。特異サブフレームは、ＤｗＰＴＳ(Ｄｏｗｎｌｉｎｋ Ｐｉｌｏｔ ＴｉｍｅＳｌｏｔ)、ＧＰ(Ｇｕａｒｄ Ｐｅｒｉｏｄ)、ＵｐＰＴＳ(Ｕｐｌｉｎｋ Ｐｉｌｏｔ ＴｉｍｅＳｌｏｔ)の３つのフィールドを含む。ＤｗＰＴＳは、下りリンク送信のために留保される時間区間であり、ＵｐＰＴＳは上りリンク送信のために留保される時間区間である。表２は特異サブフレーム構成(ｃｏｎｆｉｇｕｒａｔｉｏｎ)を例示する。
【００３９】
【表２】
0006961718.tif 000003
【００４０】
図２は、無線通信システムにおいて下りリンク／上りリンク(ＤＬ／ＵＬ)スロット構造の一例を示す図である。特に、図２は、３ＧＰＰ ＬＥＴ／ＬＥＴ−Ａシステムのリソース格子(ｒｅｓｏｕｒｃｅ ｇｒｉｄ)の構造を示す。アンテナポート当たりに１個のリソース格子がある。
【００４１】
図２を参照すると、スロットは、時間ドメインで複数のＯＦＤＭ(Ｏｒｔｈｏｇｏｎａｌ Ｆｒｅｑｕｅｎｃｙ Ｄｉｖｉｓｉｏｎ Ｍｕｌｔｉｐｌｅｘｉｎｇ)シンボルを含み、周波数ドメインで複数のリソースブロック(ｒｅｓｏｕｒｃｅ ｂｌｏｃｋ，ＲＢ)を含む。ＯＦＤＭシンボルは、１シンボル区間を意味することもある。図２を参照すると、各スロットで送信される信号は、ＮDL/ULRB  ＊  ＮRBSC個の副搬送波(ｓｕｂｃａｒｒｉｅｒ)とＮDL/ULsymb個のＯＦＤＭシンボルとで構成されるリソース格子(ｒｅｓｏｕｒｃｅ ｇｒｉｄ)と表現することができる。ここで、ＮDLRBは、下りリンクスロットにおけるリソースブロック(ｒｅｓｏｕｒｃｅ ｂｌｏｃｋ，ＲＢ)の個数を表し、ＮULRBは、ＵＬスロットにおけるＲＢの個数を表す。ＮDLRBとＮULRBは、ＤＬ送信帯域幅とＵＬ送信帯域幅にそれぞれ依存する。ＮDLsymbは、下りリンクスロットにおけるＯＦＤＭシンボルの個数を表し、ＮULsymbは、ＵＬスロットにおけるＯＦＤＭシンボルの個数を表す。ＮRBscは、１つのＲＢを構成する副搬送波の個数を表す。
【００４２】
ＯＦＤＭシンボルは、多重接続方式によって、ＯＦＤＭシンボル、ＳＣ−ＦＤＭ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅｘｉｎｇ)シンボルなどと呼ぶことができる。１つのスロットに含まれるＯＦＤＭシンボルの数は、チャンネル帯域幅、ＣＰ(ｃｙｃｌｉｃ ｐｒｅｆｉｘ)長によって様々に変更可能である。例えば、正規(ｎｏｒｍａｌ)ＣＰの場合は、１つのスロットが７個のＯＦＤＭシンボルを含むが、拡張(ｅｘｔｅｎｄｅｄ)ＣＰの場合は、１つのスロットが６個のＯＦＤＭシンボルを含む。図２では、説明の便宜のために、１つのスロットが７ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、ＮDL/ULRB  ＊  ＮRBSC個の副搬送波を含む。副搬送波の類型は、データ送信のためのデータ副搬送波、参照信号(ｒｅｆｅｒｅｎｃｅ ｓｉｇｎａｌ)の送信のための参照信号副搬送波、ガードバンド(ｇｕａｒｄ ｂａｎｄ)及び直流(Ｄｉｒｅｃｔ Ｃｕｒｒｅｎｔ，ＤＣ)成分のためのヌル(ｎｕｌｌ)副搬送波に分類することができる。ＤＣ成分のためのヌル副搬送波は、未使用のまま残される副搬送波であり、ＯＦＤＭ信号生成過程或いは周波数上り変換過程で搬送波周波数(ｃａｒｒｉｅｒ ｆｒｅｑｕｅｎｃｙ，ｆ０)にマッピング(ｍａｐｐｉｎｇ)される。搬送波周波数は中心周波数(ｃｅｎｔｅｒ ｆｒｅｑｕｅｎｃｙ)と呼ばれることもある。
【００４３】
１ＲＢは、時間ドメインでＮDL/ULsymb個(例えば、７個)の連続するＯＦＤＭシンボルと定義され、周波数ドメインでＮRBSC個(例えば、１２個)の連続する副搬送波と定義される。参考として、１つのＯＦＤＭシンボルと１つの副搬送波で構成されたリソースをリソース要素(ｒｅｓｏｕｒｃｅ ｅｌｅｍｅｎｔ，ＲＥ)或いはトーン(ｔｏｎｅ)という。したがって、１つのＲＢは、ＮDL/ULsymb  ＊  ＮRBSC個のリソース要素で構成される。リソース格子における各リソース要素は、１つのスロットにおけるインデックス対(ｋ，１)によって固有に定義できる。ｋは、周波数ドメインで０からＮDL/ULRB  ＊  ＮRBSC−１まで与えられるインデックスであり、ｌは、時間ドメインで０からＮDL/ULsymb−１まで与えられるインデックスである。
【００４４】
１サブフレームにおいてＮRBSC個の連続した同一副搬送波を占有しながら、当該サブフレームにおける２個のスロットのそれぞれに１個ずつ位置する２個のＲＢを物理リソースブロック(ｐｈｙｓｉｃａｌ ｒｅｓｏｕｒｃｅ ｂｌｏｃｋ，ＰＲＢ)対(ｐａｉｒ)という。ＰＲＢ対を構成する２個のＲＢは、同一のＰＲＢ番号(或いは、ＰＲＢインデックス(ｉｎｄｅｘ)ともいう)を有する。ＶＲＢは、リソース割り当てのために導入された一種の論理的リソース割り当て単位である。ＶＲＢはＰＲＢと同じサイズを有する。ＶＲＢをＰＲＢにマッピングする方式によって、ＶＲＢは、局部(ｌｏｃａｌｉｚｅｄ)タイプのＶＲＢと分散(ｄｉｓｔｒｉｂｕｔｅｄ)タイプのＶＲＢとに区別される。局部タイプのＶＲＢはＰＲＢに直接マッピングされて、ＶＲＢ番号(ＶＲＢインデックスともいう)がＰＲＢ番号に直接対応する。すなわち、ｎPRB＝ｎVRBとなる。局部タイプのＶＲＢには０からＮDLVRB−１順に番号が与えられ、ＮDLVRB＝ＮDLRBである。したがって、局部マッピング方式によれば、同一のＶＲＢ番号を有するＶＲＢが１番目のスロットと２番目のスロットにおいて、同一ＰＲＢ番号のＰＲＢにマッピングされる。一方、分散タイプのＶＲＢはインターリービングを経てＰＲＢにマッピングされる。そのため、同一のＶＲＢ番号を有する分散タイプのＶＲＢは、１番目のスロットと２番目のスロットにおいて互いに異なる番号のＰＲＢにマッピングされることがある。サブフレームの２つのスロットに１個ずつ位置し、同一のＶＲＢ番号を有する２個のＰＲＢをＶＲＢ対と称する。
【００４５】
図３は、３ＧＰＰ ＬＥＴ／ＬＥＴ−Ａシステムで用いられる下りリンク(ｄｏｗｎｌｉｎｋ，ＤＬ)サブフレーム構造を例示する図である。
【００４６】
図３を参照すると、ＤＬサブフレームは、時間ドメインで制御領域(ｃｏｎｔｒｏｌ ｒｅｇｉｏｎ)とデータ領域(ｄａｔａ ｒｅｇｉｏｎ)とに区別される。図３を参照すると、サブフレームの第１のスロットで先頭部における最大３個(或いは４個)のＯＦＤＭシンボルは、制御チャンネルが割り当てられる制御領域(ｃｏｎｔｒｏｌ ｒｅｇｉｏｎ)に対応する。以下、ＤＬサブフレームでＰＤＣＣＨ送信に利用可能なリソース領域(ｒｅｓｏｕｒｃｅ ｒｅｇｉｏｎ)をＰＤＣＣＨ領域と称する。制御領域に用いられるＯＦＤＭシンボル以外のＯＦＤＭシンボルは、ＰＤＳＣＨ(Ｐｈｙｓｉｃａｌ Ｄｏｗｎｌｉｎｋ Ｓｈａｒｅｄ ＣＨａｎｃｅｌ)が割り当てられるデータ領域(ｄａｔａ ｒｅｇｉｏｎ)に該当する。以下、ＤＬサブフレームでＰＤＳＣＨ送信に利用可能なリソース領域をＰＤＳＣＨ領域と称する。３ＧＰＰ ＬＥＴで用いられるＤＬ制御チャンネルの例としては、ＰＣＦＩＣＨ(Ｐｈｙｓｉｃａｌ Ｃｏｎｔｒｏｌ Ｆｏｒｍａｔ Ｉｎｄｉｃａｔｏｒ Ｃｈａｎｎｅｌ)、ＰＤＣＣＨ(Ｐｈｙｓｉｃａｌ Ｄｏｗｎｌｉｎｋ Ｃｏｎｔｒｏｌ Ｃｈａｎｎｅｌ)、ＰＨＩＣＨ(Ｐｈｙｓｉｃａｌ ｈｙｂｒｉｄ ＡＲＱ ｉｎｄｉｃａｔｏｒ Ｃｈａｎｎｅｌ)などを含む。ＰＣＦＩＣＨは、サブフレームの最初のＯＦＤＭシンボルで送信され、サブフレームにおいて制御チャンネルの送信に用いられるＯＦＤＭシンボルの個数に関する情報を運ぶ。ＰＨＩＣＨは、ＵＬ送信に対する応答としてＨＡＲＱ(Ｈｙｂｒｉｄ Ａｕｔｏｍａｔｉｃ Ｒｅｐｅａｔ Ｒｅｑｕｅｓｔ)ＡＣＫ／ＮＡＣＫ(ａｃｋｎｏｗｌｅｄｇｍｅｎｔ／ｎｅｇａｔｉｖｅ−ａｃｋｎｏｗｌｅｄｇｍｅｎｔ)信号を運ぶ。
【００４７】
ＰＤＣＣＨを介して送信される制御情報を下りリンク制御情報(ｄｏｗｎｌｉｎｋ ｃｏｎｔｒｏｌ ｉｎｆｏｒｍａｔｉｏｎ，ＤＣＩ)と呼ぶ。ＤＣＩは、ＵＥ又はＵＥグループのためのリソース割り当て情報及び他の制御情報を含む。例えば、ＤＣＩは、ＤＬ共有チャンネル(ｄｏｗｎｌｉｎｋ ｓｈａｒｅｄ ｃｈａｎｎｅｌ，ＤＬ−ＳＣＨ)の送信フォーマット及びリソース割り当て情報、ＵＬ共有チャンネル(ｕｐｌｉｎｋ ｓｈａｒｅｄ ｃｈａｎｎｅｌ，ＵＬ−ＳＣＨ)の送信フォーマット及びリソース割り当て情報、ページングチャンネル(ｐａｇｉｎｇ ｃｈａｎｎｅｌ，ＰＣＨ)上のページング情報、ＤＬ−ＳＣＨ上のシステム情報、ＰＤＳＣＨ上で送信されるランダムアクセス応答のような上位層(ｕｐｐｅｒ ｌａｙｅｒ)制御メッセージのリソース割り当て情報、ＵＥグループ内の個別ＵＥへの送信電力制御命令(Ｔｒａｎｓｍｉｔ Ｃｏｎｔｒｏｌ Ｃｏｍｍａｎｄ Ｓｅｔ)、送信電力制御(Ｔｒａｎｓｍｉｔ Ｐｏｗｅｒ Ｃｏｎｔｒｏｌ)命令、ＶｏＩＰ(Ｖｏｉｃｅ ｏｖｅｒ ＩＰ)の活性化(ａｃｔｉｖａｔｉｏｎ)指示情報、ＤＡＩ(Ｄｏｗｎｌｉｎｋ Ａｓｓｉｇｎｍｅｎｔ Ｉｎｄｅｘ)などを含む。ＤＬ共有チャンネル(ｄｏｗｎｌｉｎｋ ｓｈａｒｅｄ ｃｈａｎｎｅｌ，ＤＬ−ＳＣＨ)の送信フォーマット(Ｔｒａｎｓｍｉｔ Ｆｏｒｍａｔ)及びリソース割り当て情報は、ＤＬスケジューリング情報或いはＤＬグラント(ＤＬ ｇｒａｎｔ)とも呼ばれ、ＵＬ共有チャンネル(ｕｐｌｉｎｋ ｓｈａｒｅｄ ｃｈａｎｎｅｌ，ＵＬ−ＳＣＨ)の送信フォーマット及びリソース割り当て情報は、ＵＬスケジューリング情報或いはＵＬグラント(ＵＬ ｇｒａｎｔ)とも呼ばれる。１つのＰＤＣＣＨが運ぶＤＣＩは、ＤＣＩフォーマットによってそのサイズと用途が異なり、符号化率によってそのサイズが異なり得る。現在３ＧＰＰ ＬＥＴシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割り当て(ＲＢ ａｌｌｏｃａｔｉｏｎ)、ＭＣＳ(ｍｏｄｕｌａｔｉｏｎ ｃｏｄｉｎｇ ｓｃｈｅｍｅ)、ＲＶ(ｒｅｄｕｎｄａｎｃｙ ｖｅｒｓｉｏｎ)、ＮＤＩ(ｎｅｗ ｄａｔａ ｉｎｄｉｃａｔｏｒ)、ＴＰＣ(ｔｒａｎｓｍｉｔ ｐｏｗｅｒ ｃｏｎｔｒｏｌ)、循環シフトＤＭＲＳ(ｃｙｃｌｉｃ ｓｈｉｆｔ ｄｅｍｏｄｕｌａｔｉｏｎ ｒｅｆｅｒｅｎｃｅ ｓｉｇｎａｌ)、ＵＬインデックス、ＣＱＩ(ｃｈａｎｎｅｌ ｑｕａｌｉｔｙ ｉｎｆｏｒｍａｔｉｏｎ)要請、ＤＬ割り当てインデックス(ＤＬ ａｓｓｉｇｎｍｅｎｔ ｉｎｄｅｘ)、ＨＡＲＱプロセスナンバー、ＴＰＭＩ(ｔｒａｎｓｍｉｔｔｅｄ ｐｒｅｃｏｄｉｎｇ ｍａｔｒｉｘ ｉｎｄｉｃａｔｏｒ)、ＰＭＩ(ｐｒｅｃｏｄｉｎｇ ｍａｔｒｉｘ ｉｎｄｉｃａｔｏｒ)情報などの制御情報が適宜選択された組み合わせが下りリンク制御情報としてＵＥに送信される。
【００４８】
一般に、ＵＥに構成された送信モード(ｔｒａｎｓｍｉｓｓｉｏｎ ｍｏｄｅ，ＴＭ)によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００４９】
ＰＤＣＣＨは、１つ又は複数の連続した制御チャンネル要素(ｃｏｎｔｒｏｌ ｃｈａｎｎｅｌ ｅｌｅｍｅｎｔ，ＣＣＥ)の集成(ａｇｇｒｅｇａｔｉｏｎ)上で送信される。ＣＣＥは、ＰＤＣＣＨに無線チャンネル状態に基づく符号化率(ｃｏｄｉｎｇ ｒａｔｅ)を提供するために用いられる論理的割り当てユニット(ｕｎｉｔ)である。ＣＣＥは、複数のリソース要素グループ(ｒｅｓｏｕｒｃｅ ｅｌｅｍｅｎｔ ｇｒｏｕｐ，ＲＥＧ)に対応する。例えば、１ ＣＣＥは９個のＲＥＧに対応し、１ ＲＥＧは４個のＲＥに対応する。３ＧＰＰ ＬＥＴシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間(Ｓｅａｒｃｈ Ｓｐａｃｅ，ＳＳ)と呼ぶ。探索空間内でＰＤＣＣＨが送信されてもよい個別リソースをＰＤＣＣＨ候補(ｃａｎｄｉｄａｔｅ)と呼ぶ。ＵＥがモニタリング(ｍｏｎｉｔｏｒｉｎｇ)するＰＤＣＣＨ候補の集合を探索空間と定義する。３ＧＰＰ ＬＥＴ／ＬＥＴ−ＡシステムでそれぞれのＤＣＩフォーマットのための探索空間は異なるサイズを有してもよく、専用(ｄｅｄｉｃａｔｅｄ)探索空間と共通(ｃｏｍｍｏｎ)探索空間とが定義されている。専用探索空間は、ＵＥ−特定(ｓｐｅｃｉｆｉｃ)探索空間であり、それぞれの個別ＵＥのために構成(ｃｏｎｆｉｇｕｒａｔｉｏｎ)される。共通探索空間は、複数のＵＥのために構成される。以下の表は、探索空間を定義する集成レベル(ａｇｇｒｅｇａｔｉｏｎ ｌｅｖｅｌ)を例示するものである。
【００５０】
【表３】
0006961718.tif 000004
【００５１】
１つのＰＤＣＣＨ候補は、ＣＣＥ集成レベルによって１、２、４又は８個のＣＣＥに対応する。ｅＮＢは、探索空間内の任意のＰＤＣＣＨ候補上で実際のＰＤＣＣＨ(ＤＣＩ)を送信し、ＵＥは、ＰＤＣＣＨ(ＤＣＩ)を探すために探索空間をモニタリングする。ここで、モニタリングとは、全てのモニタリングされるＤＣＩフォーマットによって当該探索空間内の各ＰＤＣＣＨの復号(ｄｅｃｏｄｉｎｇ)を試みる(ａｔｔｅｍｐｔ)ことを意味する。ＵＥは、前記複数のＰＤＣＣＨをモニタリングし、自身のＰＤＣＣＨを検出することができる。基本的に、ＵＥは、自身のＰＤＣＣＨが送信される位置を知らないことから、各サブフレーム毎に当該ＤＣＩフォーマットの全てのＰＤＣＣＨに対して、自身の識別子を有するＰＤＣＣＨを検出するまで復号を試みるが、このような過程をブラインド検出(ｂｌｉｎｄ ｄｅｔｅｃｔｉｏｎ)(ブラインド復号(ｂｌｉｎｄ ｄｅｃｏｄｉｎｇ，ＢＤ))という。
【００５２】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨ(Ｐｈｙｓｉｃａｌ Ｄｏｗｎｌｉｎｋ Ｓｈａｒｅｄ ＣＨａｎｎｅｌ)を割り当てることができる。ＰＣＨ(Ｐａｇｉｎｇ ｃｈａｎｎｅｌ)及びＤＬ−ＳＣＨ(Ｄｏｗｎｌｉｎｋ−ｓｈａｒｅｄ ｃｈａｎｎｅｌ)は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、前記ＵＥ或いはＵＥグループがどのようにＰＤＳＣＨデータを受信して復号すればよいかなどを示す情報がＰＤＣＣＨに含まれて送信される。例えば、特定ＰＤＣＣＨが「Ａ」というＲＮＴＩ(Ｒａｄｉｏ Ｎｅｔｗｏｒｋ Ｔｅｍｐｏｒａｒｙ Ｉｄｅｎｔｉｔｙ)でＣＲＣ(ｃｙｃｌｉｃ ｒｅｄｕｎｄａｎｃｙ ｃｈｅｃｋ)マスキング(ｍａｓｋｉｎｇ)されており、「Ｂ」という無線リソース(例えば、周波数位置)及び「Ｃ」という送信形式情報(例えば、送信ブロックサイズ、変調方式、コーディング情報など)を用いて送信されるデータに関する情報が特定ＤＬサブフレームで送信されると仮定する。ＵＥは、自身の所有しているＲＮＴＩ情報を用いてＰＤＣＣＨをモニタリングし、「Ａ」というＲＮＴＩを有しているＵＥはＰＤＣＣＨを検出し、受信したＰＤＣＣＨの情報によって「Ｂ」と「Ｃ」で示されるＰＤＳＣＨを受信する。
【００５３】
ＵＥがｅＮＢから受信した信号を復調するには、データ信号と比較する参照信号(ｒｅｆｅｒｅｎｃｅ ｓｉｇｎａｌ，ＲＳ)が必要である。参照信号とは、ｅＮＢがＵＥに或いはＵＥがｅＮＢに送信する、ｅＮＢとＵＥが互いに知っている、予め定義された特別な波形の信号を意味し、パイロット(ｐｉｌｏｔ)とも呼ばれる。参照信号は、セル内の全ＵＥに共用されるセル−特定(ｃｅｌｌ−ｓｐｅｃｉｆｉｃ)ＲＳと特定ＵＥに専用される復調(ｄｅｍｏｄｕｌａｔｉｏｎ)ＲＳ(ＤＭ ＲＳ)とに区別される。ｅＮＢが特定ＵＥのための下りリンクデータの復調のために送信するＤＭ ＲＳをＵＥ−特定的(ＵＥ−ｓｐｅｃｉｆｉｃ)ＲＳと特別に称することもできる。下りリンクでＤＭ ＲＳとＣＲＳは共に送信されてもよいが、いずれか一方のみが送信されてもよい。ただし、下りリンクでＣＲＳ無しにＤＭ ＲＳのみが送信される場合、データと同じプリコーダを適用して送信されるＤＭ ＲＳは復調の目的にのみ用いることができるため、チャンネル測定用ＲＳを別途に提供しなければならない。例えば、３ＧＰＰ ＬＥＴ(−Ａ)では、ＵＥがチャンネル状態情報を測定できるようにするために、追加の測定用ＲＳであるＣＳＩ−ＲＳが当該ＵＥに送信される。ＣＳＩ−ＲＳは、チャンネル状態について相対的に時間による変化度が大きくないという事実に着目し、各サブフレーム毎に送信されるＣＲＳとは違い、複数のサブフレームで構成される所定の送信周期毎に送信される。
【００５４】
図４は、３ＧＰＰ ＬＥＴ／ＬＥＴ−Ａシステムで使用される上りリンク(ｕｐｌｉｎｋ，ＵＬ)サブフレーム構造の一例を示す図である。
【００５５】
図４を参照すると、ＵＬサブフレームは、周波数ドメインで制御領域とデータ領域とに区別できる。１つ又は複数のＰＵＣＣＨ(ｐｈｙｓｉｃａｌ ｕｐｌｉｎｋ ｃｏｎｔｒｏｌ ｃｈａｎｎｅｌｓ)が上りリンク制御情報(ｕｐｌｉｎｋ ｃｏｎｔｒｏｌ ｉｎｆｏｒｍａｔｉｏｎ，ＵＣＩ)を運ぶために制御領域に割り当てることができる。１つ又は複数のＰＵＳＣＨ(ｐｈｙｓｉｃａｌ ｕｐｌｉｎｋ ｓｈａｒｅｄ ｃｈａｎｎｅｌｓ)がユーザデータを運ぶために、ＵＬサブフレームのデータ領域に割り当てられてもよい。
【００５６】
ＵＬサブフレームではＤＣ(Ｄｉｒｅｃｔ Ｃｕｒｒｅｎｔ)副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマッピングされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００５７】
ＰＵＣＣＨは、次の制御情報を送信するために使用される。
【００５８】
−ＳＲ(Ｓｃｈｅｄｕｌｉｎｇ Ｒｅｑｕｅｓｔ)：上りリンクＵＬ−ＳＣＨリソースを要請するために使用される情報である。ＯＯＫ(Ｏｎ−Ｏｆｆ Ｋｅｙｉｎｇ)方式を用いて送信される。
【００５９】
−ＨＡＲＱ−ＡＣＫ：ＰＤＣＣＨに対する応答及び／又はＰＤＳＣＨ上の下りリンクデータパケット(例えば、コードワード)に対する応答である。ＰＤＣＣＨ或いはＰＤＳＣＨが成功的に受信されたか否かを示す。単一下りリンクコードワードに対する応答としてＨＡＲＱ−ＡＣＫ １ビットが送信され、２つの下りリンクコードワードに対する応答としてＨＡＲＱ−ＡＣＫ ２ビットが送信される。ＨＡＲＱ−ＡＣＫ応答は、ポジティブＡＣＫ(簡単に、ＡＣＫ)、ネガティブＡＣＫ(以下、ＮＡＣＫ)、ＤＴＸ(Ｄｉｓｃｏｎｔｉｎｕｏｕｓ Ｔｒａｎｓｍｉｓｓｉｏｎ)又はＮＡＣＫ／ＤＴＸを含む。ここで、ＨＡＲＱ−ＡＣＫという用語は、ＨＡＲＱ ＡＣＫ／ＮＡＣＫ、ＡＣＫ／ＮＡＣＫと同じ意味で使われる。
【００６０】
−ＣＳＩ(Ｃｈａｎｎｅｌ Ｓｔａｔｅ Ｉｎｆｏｒｍａｔｉｏｎ)：下りリンクチャンネルに対するフィードバック情報(ｆｅｅｄｂａｃｋ ｉｎｆｏｒｍａｔｉｏｎ)である。ＭＩＭＯ(Ｍｕｌｔｉｐｌｅ Ｉｎｐｕｔ Ｍｕｌｔｉｐｌｅ Ｏｕｔｐｕｔ)−関連フィードバック情報は、ＲＩ(Ｒａｎｋ Ｉｎｄｉｃａｔｏｒ)及びＰＭＩ(Ｐｒｅｃｏｄｉｎｇ Ｍａｔｒｉｘ Ｉｎｄｉｃａｔｏｒ)を含む。
【００６１】
ＵＥがサブフレームで送信可能な上りリンク制御情報(ＵＣＩ)の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ(Ｓｏｕｎｄｉｎｇ Ｒｅｆｅｒｅｎｃｅ Ｓｉｇｎａｌ)が構成されているサブフレームでは、サブフレームの最後のＳＣ−ＦＤＭＡシンボルも除く。参照信号は、ＰＵＣＣＨのコヒーレント(ｃｏｈｅｒｅｎｔ)検出に用いられる。ＰＵＣＣＨは、送信される情報によって様々なフォーマットを支援する。
【００６２】
表４はＬＥＴ／ＬＥＴ−ＡシステムにおいてＰＵＣＣＨフォーマットとＵＣＩとのマッピング関係を示す。
【００６３】
【表４】
0006961718.tif 000005
【００６４】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャンネル状態情報(ｃｈａｎｎｅｌ ｓｔａｔｅ ｉｎｆｏｒｍａｔｉｏｎ，ＣＳＩ)を運ぶために用いられ、ＰＵＣＣＨフォーマット３系列はＡＣＫ／ＮＡＣＫ情報を送信するために用いられる。
【００６５】
参照信号(Ｒｅｆｅｒｅｎｃｅ Ｓｉｇｎａｌ；ＲＳ)
【００６６】
無線通信システムにおいてパケットを送信する時、パケットは無線チャネルを通じて送信されるため、送信過程で信号の歪みが発生することがある。歪まれた信号を受信側で正しく受信するためには、チャネル情報を用いて受信信号において歪みを補正しなければならない。チャネル情報を知るために、送信側と受信側の両方で知っている信号を送信し、該信号がチャネルを通じて受信される時の歪みの度合からチャネル情報を把握する方法を主に用いる。この信号をパイロット信号(Ｐｉｌｏｔ Ｓｉｇｎａｌ)又は参照信号(Ｒｅｆｅｒｅｎｃｅ Ｓｉｇｎａｌ)という。
【００６７】
多重アンテナを用いてデータを送受信する場合、各送信アンテナと受信アンテナの間のチャネル状況を知らないと、正しい信号を受信することができない。従って、各送信アンテナごとに、より詳しくはアンテナポート(ａｎｔｅｎｎａ ｐｏｒｔ)ごとに異なった参照信号が存在しなければならない。
【００６８】
参照信号は上りリンク参照信号と下りリンク参照信号とに区別できる。現在、いくつのシステム、例えば、ＬＥＴベースのシステムにおいて、上りリンク参照信号として、
【００６９】
i)ＰＵＳＣＨ及びＰＵＣＣＨを介して送信された情報のコヒーレント(ｃｏｈｅｒｅｎｔ)な復調のためのチャネル推定のための復調参照信号(ＤｅＭｏｄｕｌａｔｉｏｎ−Ｒｅｆｅｒｅｎｃｅ Ｓｉｇｎａｌ，ＤＭ−ＲＳ)及び
【００７０】
ii)ｅＮＢが、ネットワークの異なる周波数における上りリンクチャネル品質を測定するためのサウンディング参照信号(Ｓｏｕｎｄｉｎｇ Ｒｅｆｅｒｅｎｃｅ Ｓｉｇｎａｌ，ＳＲＳ)を含む。
【００７１】
一方、下りリンク参照信号としては、例えば、
【００７２】
i) セル内の全ての端末が共有するセル−特定の参照信号(Ｃｅｌｌ−ｓｐｅｃｉｆｉｃ Ｒｅｆｅｒｅｎｃｅ Ｓｉｇｎａｌ，ＣＲＳ);
【００７３】
ii) 特定のＵＥのみのための端末−特定の参照信号(ＵＥ−ｓｐｅｃｉｆｉｃ Ｒｅｆｅｒｅｎｃｅ Ｓｉｇｎａｌ);
【００７４】
iii) ＰＤＳＣＨが送信される場合に、コヒーレントな復調のために送信される(ＤｅＭｏｄｕｌａｔｉｏｎ−Ｒｅｆｅｒｅｎｃｅ Ｓｉｇｎａｌ，ＤＭ−ＲＳ);
【００７５】
iv) 下りリンクＤＭＲＳが送信される場合に、チャネル状態情報(Ｃｈａｎｎｅｌ Ｓｔａｔｅ Ｉｎｆｏｒｍａｔｉｏｎ；ＣＳＩ)を伝達するためのチャネル状態情報の参照信号(Ｃｈａｎｎｅｌ Ｓｔａｔｅ Ｉｎｆｏｒｍａｔｉｏｎ−Ｒｅｆｅｒｅｎｃｅ Ｓｉｇｎａｌ，ＣＳＩ−ＲＳ);
【００７６】
v) ＭＢＳＦＮ(Ｍｕｌｔｉｍｅｄｉａ Ｂｒｏａｄｃａｓｔ Ｓｉｎｇｌｅ Ｆｒｅｑｕｅｎｃｙ Ｎｅｔｗｏｒｋ)モードで送信される信号に対するコヒーレントな復調のために送信されるＭＢＳＦＮ参照信号(ＭＢＳＦＮ Ｒｅｆｅｒｅｎｃｅ Ｓｉｇｎａｌ);及び
【００７７】
vi) 端末の地理的位置情報を推定するために用いられる位置参照信号(Ｐｏｓｉｔｉｏｎｉｎｇ Ｒｅｆｅｒｅｎｃｅ Ｓｉｇｎａｌ)がある。
【００７８】
参照信号はその目的によって２種類に大別できる。チャネル情報取得のために用いられる参照信号と、データ復調のために用いられる参照信号とがある。前者は、ＵＥが下りリンク上のチャネル情報を取得できるようにすることに目的があるため、広帯域に送信されなければならず、特定サブフレームで下りリンクデータを受信しない端末であってもその参照信号を受信しなければならない。また、これはハンドオーバーなどの状況でも用いられる。後者は、基地局が下りリンクを送る時に該当のリソースに共に送る参照信号であって、端末は当該参照信号を受信することによってチャネル測定をしてデータを復調することができる。この参照信号は、データの送信される領域で送信されなければならない。
【００７９】
送信電力制御
【００８０】
端末の上りリンク送信電力を制御するために様々なパラメータが利用され、該パラメータは開放ループ電力制御パラメータ(Ｏｐｅｎ Ｌｏｏｐ Ｐｏｗｅｒ ｃｏｎｔｒｏｌ；ＯＬＰＣ)及び閉鎖ループ電力制御パラメータ(Ｃｌｏｓｅｄ Ｌｏｏｐ Ｐｏｗｅｒ ｃｏｎｔｒｏｌ；ＣＬＰＣ)に分類される。ＯＬＰＣは、端末が属するサービングセル(又はサービング基地局)からの下りリンク信号減殺を推定して、それを補償する形態で電力制御するための因子であり、例えば、端末からサービングセルまでの距離が遠くなって下りリンクの信号減殺が大きくなると、上りリンクの送信電力を高める方式で上りリンク電力が制御される。またＣＬＰＣは、基地局で上りリンク送信電力を調節するために必要な情報(例えば、ＴＰＣ命令など)を直接伝達する方式で上りリンク電力を制御する時に用いられる。上りリンク送信電力制御は、かかるＯＬＰＣとＣＬＰＣを共に考慮して行われる。
【００８１】
具体的には、端末のＰＵＳＣＨ送信のためのＰＵＳＣＨ送信電力の決定ついて説明する。以下の数１は、サービングセルｃにおいてサブスロット／スロット／サブフレームインデックスｉにおけるＰＵＣＣＨを同時に送信せず、ＰＵＳＣＨのみを送信する場合の端末の送信電力を決定するための式である。
【００８２】
【数１】
0006961718.tif 000006
【００８３】
以下の数２は、サービングセルｃのサブフレームインデックスｉにおいてＰＵＣＣＨとＰＵＳＣＨを同時に送信する場合、ＰＵＳＣＨ送信電力を決定する式である。以下、数１及び数２に関連して説明するパラメータは、サービングセルｃにおける端末の上りリンク送信電力を決定することである。
【００８４】
【数２】
0006961718.tif 000007
【００８５】
数１において、ＭPUSCH,c(i)は、サブフレームインデックスｉに対して有効なリソースブロック数で表されたＰＵＳＣＨリソース割り当ての帯域幅を示すパラメータであり、基地局が割り当てる値である。ＰO_PUSCH,c(ｊ)は、上位階層から提供されたセル−特定の名目上の要素(ｎｏｍｉｎａｌ ｃｏｍｐｏｎｅｎｔ)ＰO_NOMINAL_PUSCH,c(ｊ)と、上位階層から提供された端末−特定の要素ＰO_UE_PUSCH,c(ｊ)との和で構成されたパラメータであって、基地局が端末に知らせる値である。動的スケジューリングされるグラントに対応するＰＵＳＣＨ送信／再送信はｊ＝１であり、ランダムアクセス応答グラントに対応するＰＵＳＣＨ送信／再送信はｊ＝２である。また、ＰO_UE_PUSCH,c(２)＝０であり、ＰO_NOMINAL_PUSCH,c(２)＝ＰO_PRE ＋ΔPREAMBLE_Msg3であり、パラメータpreambleInitialReceivedTargetPower (ＰO_PRE)とΔPREAMBLE_Msg3は上位階層でシグナリングされる。
【００８６】
αc(ｊ)は経路損失補償因子(ｐａｔｈｌｏｓｓ ｃｏｍｐｅｎｓａｔｉｏｎ ｆａｃｔｏｒ)であって、上位階層から提供されて基地局が３ビットで送信するセル−特定のパラメータである。ｊ＝０又は１である時、αc∈[０、０.４、０.５、０.６、０.７、０.８、０.９、１]であり、ｊ＝２である時は、αc(ｊ)＝１である。
【００８７】
ＰＬCは端末がｄＢ単位で計算した下りリンク経路損失(又は信号損失)推定値であり、ＰＬc＝ｒｅｆｅｒｅｎｃｅＳｉｇｎａｌＰｏｗｅｒ−ｈｉｇｈｅｒ ｌａｙｅｒ ｆｉｌｔｅｒｅｄ ＲＳＲＰ(ｒｅｆｅｒｅｎｃｅ ｓｉｇｎａｌ ｒｅｃｅｉｖｅｄ ｐｏｗｅｒ)と表現され、ここで、ｒｅｆｅｒｅｎｃｅＳｉｇｎａｌＰｏｗｅｒは基地局が上位階層により端末に知らせることができる。
【００８８】
fc(ｉ)はサブスロット／スロット／サブフレームインデックスｉに対して現在のＰＵＳＣＨ電力制御の調整状態を示す値であり、現在の絶対値又は累積値で表現される。累積が上位階層から提供されるパラメータＡｃｃｕｍｕｌａｔｉｏｎ−ｅｎａｂｌｅｄに基づいて可能になるか、又はＴＰＣ命令がＣＲＣが臨時Ｃ−ＲＮＴＩによりスクランブルされたサービングセルｃに対するＤＣＩフォーマット０と共にＰＤＣＣＨに含まれると、下記数式を満たす。
【００８９】
【数３】
0006961718.tif 000008
【００９０】
ＫPUSCH の値はＬＴＥ標準において以下のように定義できる。
【００９１】
ＦＤＤ(Ｆｒｅｑｕｅｎｃｙ Ｄｉｖｉｓｉｏｎ Ｄｕｐｌｅｘ)について、ＫPUSCHの値は４である。ＴＤＤ ＵＬ−ＤＬ ｃｏｎｆｉｇｕｒａｔｉｏｎ ０−６については、ＫPUSCHの値は以下の表５の通りである。ＴＤＤ ＵＬ−ＤＬ ｃｏｎｆｉｇｕｒａｔｉｏｎ ０について、ＵＬインデックスのＬＳＢ(Ｌｅａｓｔ Ｓｉｇｎｉｆｉｃａｎｔ Ｂｉｔ)が１に設定され、サブフレーム２又は７ではＰＵＳＣＨ送信がＤＣＩフォーマット０／４のＰＤＣＣＨと共にスケジューリングされると、ＫPUSCH ＝７である。他のＰＵＳＣＨ送信については、ＫPUSCHの値は以下の表５の通りである。
【００９２】
【表５】
0006961718.tif 000009
【００９３】
ＤＲＸを除いて毎サブフレームで端末は端末のＣ−ＲＮＴＩを有し、ＤＣＩフォーマット０／４のＰＤＣＣＨを又は端末のＴＰＣ−ＰＵＳＣＨ−ＲＮＴＩを有して、ＤＣＩフォーマット３／３ＡのＰＤＣＣＨ及びＳＰＳ Ｃ−ＲＮＴＩに対するＤＣＩフォーマットの復号を行う。サービングセルｃに対するＤＣＩフォーマット０／４及びＤＣＩフォーマット３／３Ａは、同じサブフレームで検出されると、端末はＤＣＩフォーマット０／４で提供されるδPUSCH,cを使用しなければならない。サービングセルｃのために復号されるＴＰＣ命令がないか、ＤＲＸが生じるか又はｉがＴＤＤで上りリンクサブフレームではないサブフレームについて、δPUSCH,c＝０ｄＢである。
【００９４】
ＤＣＩフォーマット０／４と共にＰＤＣＣＨ上でシグナリングされる
δPUSCH,c累積値は、以下の表６の通りである。ＤＣＩフォーマット０と共にするＰＤＣＣＨは、ＳＰＳ ａｃｔｉｖａｔｉｏｎにより認証(ｖａｌｉｄａｔｉｏｎ)されるか又はＰＤＣＣＨをリリースすると、δPUSCH,c＝０ｄＢである。ＤＣＩフォーマット３／３Ａと共にＰＤＣＣＨ上でシグナリングされるδPUSCH,c累積値は、以下の表６のＳＥＴ１の１つであるか、又は上位階層で提供されるＴＰＣ−ｉｎｄｅｘパラメータにより決定される以下の表７のＳＥＴ２の１つである。
【００９５】
【表６】
0006961718.tif 000010
【００９６】
【表７】
0006961718.tif 000011
【００９７】
サービングセルｃにおける送信最大電力ＰCMAX,c(i)を超えると、サービングセルｃに対して正(ｐｏｓｉｔｉｖｅ)のＴＰＣ命令は累積されない。反面、端末が最低電力に到達すると、負(ｎｅｇａｔｉｖｅ)のＴＰＣ命令が累積されない。
【００９８】
サービングセルｃについて、ＰO_UE_PUSCH,c(ｊ)値が上位階層で変更される時、またプライマリーセル(Ｐｒｉｍａｒｙ ｃｅｌｌ)で端末がランダムアクセス応答メッセージを受信する時、端末は累積をリセットする。
【００９９】
累積が上位階層から提供されるパラメータＡｃｃｕｍｕｌａｔｉｏｎ−ｅｎａｂｌｅｄに基づいて可能にならないと、下記数式を満たす。
【０１００】
【数４】
0006961718.tif 000012
【０１０１】
サービングセルｃのために復号されるＤＣＩフォーマットと共にするＰＤＣＣＨがないか、ＤＲＸ(Ｄｉｓｃｏｎｔｉｎｕｅｄ Ｒｅｃｅｐｔｉｏｎ)が発生するか、又はｉがＴＤＤで上りリンクサブフレームではないサブスロット／スロット／サブフレームについて、fc（ｉ）＝fc（ｉ−１）である。
【０１０２】
fc（*）(累積又は現在の絶対値)という２つのタイプについて、最初値は以下のように設定される。
【０１０３】
サービングセルｃについて、ＰO_UE_PUSCH,c値が上位階層で変更されるか、又はＰO_UE_PUSCH,c値が上位階層により受信され、サービングセルｃがセカンダリーセルであると、fc(０)＝０である。一方、サービングセルがプライマリーセルであると、下記数式である。
【０１０４】
【数５】
0006961718.tif 000013
【０１０５】
また、本発明に関連して上りリンク電力制御(ＵＬＰＣ)でＴＰＣ命令が累積モード(ａｃｃｕｍｕｌａｔｅｄ ｍｏｄｅ)で動作する時、累積値は関連技術において以下のように動作する。サービングセルｃについて、ＰO_UE_PUSCH,c(ｊ)値が上位階層で変更される時、またプライマリーセルで端末がランダムアクセス応答メッセージを受信する時、端末は以下の場合に累積をリセットしなければならない。
【０１０６】
以下の数６はＰＵＣＣＨに対する上りリンク電力制御に関する式である。
【０１０７】
【数６】
0006961718.tif 000014
【０１０８】
数６において、ｉはサブスロット／スロット／サブフレームインデックス、ｃはセルインデックスである。端末が２つのアンテナポート上でＰＵＣＣＨを送信するように上位階層により設定されていると、ΔTxD(F′)の値は上位階層により端末に提供され、それ以外の場合には０である。以下に説明するパラメータはセルインデックスｃであるサービングセルに関する。
【０１０９】
ここで、PCMAX,c(i)は端末の送信可能な最大電力を示し、Ｐ0_PUCCHはセル−特定のパラメータの和で構成されたパラメータであって、基地局が上位階層シグナリングにより知らせる。ＰＬcは端末がｄＢ単位で計算した下りリンク経路損失(又は信号損失)推定値であって、ＰＬc＝ｒｅｆｅｒｅｎｃｅＳｉｇｎａｌＰｏｗｅｒ−ｈｉｇｈｅｒ ｌａｙｅｒ ｆｉｌｔｅｒｅｄ ＲＳＲＰと表現される。ｈ(ｎ)はＰＵＣＣＨフォーマットにより変化する値であり、ｎCQIはチャネル品質情報(ＣＱＩ)に関する情報ビット数であり、ｎHARQはＨＡＲＱビットの数、ｎSRはＳＲのビット数を示す。ΔF_PUCCH(Ｆ)値はＰＵＣＣＨフォーマット１ａに対して相対的な値であり、ＰＵＣＣＨフォーマット(Ｆ)に対応する値であって、基地局が上位階層シグナリングにより知らせるものである。
【０１１０】
ｇ(ｉ)はインデックスｉであるサブスロット／スロット／サブフレームの現在ＰＵＣＣＨ電力制御の調整状態を示し、下記数式で定義できる。
【０１１１】
【数７】
0006961718.tif 000015
【０１１２】
ｈ(nCQI,nHARQ,nSR)はＰＵＣＣＨフォーマットに依存する値であり、サブスロット／スロット／サブフレームｉがＵＬ−ＳＣＨのための如何なる連関するＴＢを有しない端末のためにＳＲが設定される場合にｎSRは１であり、そうではないと、ｎSRは０である。ｈ(nCQI,nHARQ,nSR)はＰＵＣＣＨフォーマット１、１ａ及び１ｂでは０であり、ＰＵＣＣＨフォーマット１ｂにおいて１つ超えるサービングセルが端末に設定されると、下記数式であり、それ以外の場合には０である。
【０１１３】
【数８】
0006961718.tif 000016
【０１１４】
また、ＰＵＣＣＨフォーマット２、２ａ、２ｂにおいて一般ＣＰである場合は、以下の数９のように示され、ＰＵＣＣＨフォーマット２において拡張ＣＰである場合は、以下の数１０のように示される。
【０１１５】
【数９】
0006961718.tif 000017
【０１１６】
【数１０】
0006961718.tif 000018
【０１１７】
また、ＰＵＣＣＨフォーマット３については、端末が１１ビット以上のＨＡＲＱ−ＡＣＫ／ＮＡＣＫ又はＳＲ(ｓｃｈｅｄｕｌｉｎｇ Ｒｅｑｕｅｓｔ)を送信する場合は、以下の数１１のように示すことができ、そうではない場合には、以下の数１２のように示すことができる。
【０１１８】
【数１１】
0006961718.tif 000019
【０１１９】
【数１２】
0006961718.tif 000020
【０１２０】
Ｐ0_UE_PUCCH値が上位階層で変更される時は、g(0)＝０であり、そうではない時には、g(0)＝ΔＰrampup  ＋  δmsg2である。δmsg2はランダムアクセス応答で指示されるＴＰＣ命令であり、ΔＰrampupは上位階層で提供する最初から最後のプリアンブルまでの総電力増加(ｔｏｔａｌ ｐｏｗｅｒ ｒａｍｐ−ｕｐ)に該当する。
【０１２１】
プライマリーセルｃにおける送信最大電力ＰCMAX,c(i)に到達すると、プライマリーセルｃについて正(ｐｏｓｉｔｉｖｅ)のＴＰＣ命令が累積されない。反面、端末が最低電力に到達すると、負(ｎｅｇａｔｉｖｅ)のＴＰＣ命令が累積されない。端末はＰ0_UE_PUCCH値が上位階層により変更されるか、又はランダムアクセス応答メッセージ(Ｍｓｇ２)を受信すると、累積をリセットする。
【０１２２】
一方、以下の表８及び表９はＤＣＩフォーマットにおけるＴＰＣ命令フィールドにおけるδPUCCH値を示す。
【０１２３】
【表８】
0006961718.tif 000021
【０１２４】
【表９】
0006961718.tif 000022
【０１２５】
今後のシステムでは様々な適用分野における要求事項を満たすために、全ての或いは特定の物理チャネルに対してＴＴＩ(の長さ)を様々に設定する状況が考えられる。より特徴的には、シナリオによってｅＮＢとＵＥの間の通信時に遅延を減らすために、ＰＤＣＣＨ／ＰＤＳＣＨ／ＰＵＳＣＨ／ＰＵＣＣＨなどの物理チャネル送信が使用されるＴＴＩを１ｍｓｅｃより小さく設定することができる(以下、これらを各々ｓＰＤＣＣＨ／ｓＰＤＳＣＨ／ｓＰＵＳＣＨ／ｓＰＵＣＣＨとする)。また、単一のＵＥ或いは複数のＵＥについて、単一のサブフレーム(例えば、、１ｍｓｅｃ)内で複数の物理チャネルが存在することができ、各々ＴＴＩ(の長さ)が異なることができる。以下の実施例では、説明の便宜上、ＬＴＥシステムを一例とする。この時、ＴＴＩはＬＴＥシステムにおける一般的なサブフレームサイズの１ｍｓｅｃであり(以下、一般ＴＴＩ)、短いＴＴＩはそれより小さい値をいい、単一／複数のＯＦＤＭ或いはＳＣ−ＦＤＭＡシンボル単位である。説明の便宜上、短いＴＴＩ(即ち、ＴＴＩ長さが既存の１つのサブフレームより小さい場合)を仮定したが、ＴＴＩが１つのサブフレームより長くなる場合、或いは１ｍｓ以上である場合についても本発明の主要特徴を拡張して適用することができる。特徴的には、今後のシステムにおいて、副搬送波間隔(ｓｕｂｃａｒｒｉｅｒ ｓｐａｃｉｎｇ)を増加させる形態で短いＴＴＩが導入される場合にも、本発明の主要特徴を拡張して適用できる。説明の便宜上、ＬＴＥに基づいて発明を説明するが、該当内容はｎｅｗ ＲＡＴ(ｎｅｗ ｒａｄｉｏ ａｃｃｅｓｓ ｔｅｃｈｎｏｌｏｇｙ;ＲＡＴ)などの他の波形／フレーム構造(ｗａｖｅｆｏｒｍ／ｆｒａｍｅ ｓｔｒｕｃｔｕｒｅ)が使用される技術にも適用できる。一般的には、本発明ではｓＴＴＩ(＜１ｍｓｅｃ)、ｌｏｎｇＴＴＩ(＝１ｍｓｅｃ)、ｌｏｎｇｅｒＴＴＩ(＞１ｍｓｅｃ)と仮定する。以下の実施例では、互いに異なるＴＴＩ長さ／ニューマロロジー／プロセシング時間を有する複数のＵＬチャネルについて説明したが、互いに異なるサービス要求事項、遅延、スケジューリングユニットが適用される複数のＵＬ／ＤＬチャネルに拡張して適用することもできる。
【０１２６】
上述した遅延減少、即ち、低い遅延を満たすために、データ送信の最小単位であるＴＴＩを縮めて０.５ｍｓｅｃ以下の短いＴＴＩ(ｓＴＴＩ)を新しくデザインする必要がある。例えば、図５に示すように、ｅＮＢがデータ(ＰＤＣＣＨ及びＰＤＳＣＨ)の送信を開始してからＵＥがＡ／Ｎ(ＡＣＫ／ＮＡＣＫ)の送信を完了するまでのユーザ平面(Ｕｓｅｒ ｐｌａｎｅ;Ｕ−ｐｌａｎｅ)遅延を１ｍｓｅｃに減らすためには、約３ＯＦＤＭシンボルを単位としてｓＴＴＩを構成することができる。
【０１２７】
下りリンクの環境では、かかるｓＴＴＩ内におけるデータの送信／スケジューリングのためのＰＤＣＣＨ(即ち、ｓＰＤＣＣＨ)とｓＴＴＩ内で送信が行われるＰＤＳＣＨ(即ち、ｓＰＤＳＣＨ)が送信されることができ、例えば、図６に示すように、１つのサブフレーム内に複数のｓＴＴＩが互いに異なるＯＦＤＭシンボルを使用して構成されることができる。特徴的には、ｓＴＴＩを構成するＯＦＤＭシンボルは、レガシー制御チャネルが送信されるＯＦＤＭシンボルを除いて構成される。ｓＴＴＩ内におけるｓＰＤＣＣＨとｓＰＤＳＣＨの送信は、互いに異なるＯＦＤＭシンボル領域を使用してＴＤＭ(ｔｉｍｅ ｄｉｖｉｓｉｏｎ ｍｕｌｔｉｐｌｅｘｉｎｇ)された形態で送信され、互いに異なるＰＲＢ領域／周波数リソースを使用してＦＤＭ(ｆｒｅｑｕｅｎｃｙ ｄｉｖｉｓｉｏｎ ｍｕｌｔｉｐｌｅｘｉｎｇ)された形態で送信されることもできる。
【０１２８】
上りリンクの環境でも、上述した下りリンクの環境のように、ｓＴＴＩ内でデータの送信／スケジューリングが可能であり、既存のＴＴＩ基盤のＰＵＣＣＨとＰＵＳＣＨに対応するチャネルをｓＰＵＣＣＨ、ｓＰＵＳＣＨと称する。
【０１２９】
この明細書では、ＬＴＥ／ＬＴＥ−Ａシステムを基準として発明を説明する。既存のＬＴＥ／ＬＴＥ−Ａにおいて、１ｍｓのサブフレームは一般ＣＰを有する場合、１４個のＯＦＤＭシンボルで構成され、これを１ｍｓより短い単位のＴＴＩを構成する場合、１つのサブフレーム内に複数のＴＴＩを構成できる。複数のＴＴＩを構成する方式は、以下の図７に示した実施例のように、２シンボル、３シンボル、４シンボル、７シンボルが１つのＴＴＩを構成できる。図示していないが、１シンボルのＴＴＩを有する場合も考えることができる。１シンボルが１つのＴＴＩ単位になると、２つのＯＦＤＭシンボルにレガシーＰＤＣＣＨを送信するという仮定下で、１２個のＴＴＩが生成される。同様に、図７の(ａ)のように、２シンボルが１つのＴＴＩ単位になると、６つのＴＴＩ、図７の(ｂ)のように、３シンボルが１つのＴＴＩ単位になると、４つのＴＴＩ、図７の(ｃ)のように、４シンボルが１つのＴＴＩ単位になると、３つのＴＴＩを生成できる。勿論、この場合、最初の２つのＯＦＤＭシンボルはレガシーＰＤＣＣＨが送信されたと仮定する。
【０１３０】
図７の(ｄ)に示したように、７つのシンボルが１つのＴＴＩを構成すると、レガシーＰＤＣＣＨを含む７つのシンボル単位の１つのＴＴＩと後の７つのシンボルが１つのＴＴＩを構成できる。この時、ｓＴＴＩを支援する端末の場合、１つのＴＴＩが７シンボルで構成されると、１つのサブフレームの前側に位置するＴＴＩ(１番目のスロット)についてはレガシーＰＤＣＣＨが送信される前側の２つのＯＦＤＭシンボルに対してはパンクチャリングするか、又はレートマッチングされたと仮定し、その後５つのシンボルに自分のデータ及び／又は制御情報が送信されると仮定する。反面、１つのサブフレームの後側に位置するＴＴＩ(２番目のスロット)に対して、端末はパンクチャリングやレートマッチングするリソース領域無しに７つのシンボルに全てデータ及び／又は制御情報を送信できると仮定する。
【０１３１】
また本発明では、２つのＯＦＤＭシンボル(以下、"ＯＳ")で構成されたｓＴＴＩと３つのＯＳで構成されたｓＴＴＩが、図８のように１つのサブフレーム内に混合されて存在するｓＴＴＩ構造も考慮する。このような２−ＯＳ又は３−ＯＳのｓＴＴＩで構成されたｓＴＴＩを簡単に２−シンボルｓＴＴＩ(即ち、２−ＯＳ ｓＴＴＩ)と定義する。また、２−シンボルｓＴＴＩ又は３−シンボルｓＴＴＩを簡単に２−シンボルＴＴＩ又は３−シンボルＴＴＩと称することもでき、これらが全て本発明で前提しているレガシーＴＴＩである１ｍｓ ＴＴＩより短いＴＴＩであることは明らかである。即ち、この明細書において"ＴＴＩ"と称してもｓＴＴＩであることができ、その名称に関係なく、本発明ではレガシーＴＴＩより短い長さのＴＴＩで構成されたシステムにおける通信方式を提案する。
【０１３２】
この明細書において、ニューマロロジーとは、該当無線通信システムに適用されるＴＴＩ長さ、副搬送波間隔などの決定、決められたＴＴＩ長さ又は副搬送波間隔などのパラメータ又はそれらに基づく通信構造又はシステムなどを意味する。
【０１３３】
図８の(ａ)に示した＜３,２,２,２,２,３＞ｓＴＴＩパターンではＰＤＣＣＨのシンボル数によってｓＰＤＣＣＨが送信されることができる。図８の(ｂ)に示した＜２,３,２,２,２,３＞ｓＴＴＩパターンではレガシーＰＤＣＣＨ領域のためにｓＰＤＣＣＨの送信が難しい。
【０１３４】
ｎｅｗ ＲＡＴ(ｎｅｗ ｒａｄｉｏ ｔｅｃｈｎｏｌｏｇｙ；ＮＲ)
【０１３５】
以上、３ＧＰＰ ＬＴＥ(−Ａ)システムの構造、動作又は機能などを説明したが、ＮＲでは３ＧＰＰ ＬＴＥ(−Ａ)における構造、動作又は機能などが少し変形されたり他の方式で具現又は設定されることができる。その一部を簡単に説明する。
【０１３６】
ＮＲでは様々なニューマロロジーを支援する。例えば、副搬送波間隔が１５ＫＨｚだけではなく、その２n倍(ｎ＝１、２、３、４)まで支援する。
【０１３７】
また正規ＣＰの場合、スロット当たりのＯＦＤＭシンボル(今後、単に"シンボル"という)の数は１４個に固定されるが、１つのサブフレーム内のスロット数が２k個(ｋ＝０、１、２、３、４、５)まで支援され、ただ無線フレームが１０個のサブフレームで構成されることは、既存のＬＴＥシステムと同一である。拡張ＣＰの場合、スロット当たりのシンボル数が１２個に固定され、１つのサブフレームは４つのスロットで構成される。また既存のＬＴＥシステムのように、１つのリソースブロックは周波数ドメインで１２個の連続する副搬送波により定義される。
【０１３８】
また１スロット内の各シンボルの用途(例えば、下りリンク、上りリンク又は自由自在(ｆｌｅｘｉｂｌｅ))がスロットフォーマットによって定義され、１スロット内で下りリンクシンボルと上りリンクシンボルを全て設定することもできるが、かかる場合を自己完結型(ｓｅｌｆ ｃｏｎｔａｉｎｅｄ)サブフレーム(又はスロット)構造と呼ぶ。
【０１３９】
ｓＴＴＩのためのＵＬ電力制御(ＵＬ ｐｏｗｅｒ ｃｏｎｔｒｏｌ ｆｏｒ ｓＴＴＩ)
【０１４０】
端末の閉ループ電力制御(ｃｌｏｓｅｄ−ｌｏｏｐ ｐｏｗｅｒ ｃｏｎｔｒｏｌ)が累積モードで動作するか、或いは非累積モード(例えば、ＴＰＣにより指示された絶対値基盤)で動作するかは、ＴＴＩ長さ及び／又は副搬送波間隔及び／又はＱｏＳ／遅延要求事項及び／又は信頼度要求事項(例えば、ターゲットＢＬＥＲ(ｂｌｏｃｋ ｅｒｒｏｒ ｒａｔｅ))及び／又は波形(例えば、ＤＦＴ−ｓ−ＯＦＤＭ又はＣＰ−ＯＦＤＭ)ごとに独立して端末に設定される。この時、該当設定は上位階層信号により端末に設定されるか、又はＤＣＩにより指示される。
【０１４１】
端末の開ループ電力制御関連のパラメータ(例えば、Ｐ_０、α)がＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)ごとに独立して端末に設定されることができる。又は、パラメータは端末−特定に設定され、Ｐ０_ＮＯＭＩＮＡＬ_ＰＵＳＣＨ,ｃ／Ｐ０_ＮＯＭＩＮＡＬ_ＰＵＣＣＨはセル−特定に及び／又はＰ０_ＵＥ_ＰＵＳＣＨ,ｃ／Ｐ０_ＵＥ_ＰＵＣＣＨはＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)ごとに独立して設定されることができる。この時、該当設定は上位階層信号により端末に設定されるか、又はＤＣＩにより指示される。
【０１４２】
また端末の閉ループ電力制御が累積モードで動作する場合、ＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)ごとに独立して累積リセット動作が設定されることができる。より具体的には、ＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)ごとに個々に設定されたＰ０_ＵＥ_ＰＵＳＣＨ,ｃ／Ｐ０_ＵＥ_ＰＵＣＣＨの値が上位階層信号により変更される場合、該当ＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)に対する累積がリセットされるように規定できる。
【０１４３】
ＤＣＩで送信されるＴＰＣ命令がどのＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)に対するパラメータであるかが明示的に指示されるように規定できる。又はＤＣＩで送信されるＴＰＣ命令がどのＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)に対するパラメータであるかが該当ＤＣＩの探索空間及び／又はスクランブリングに使用されるＲＮＴＩ及び／又はフォーマットなどで暗示的に指示されることもできる。
【０１４４】
端末にデフォルト値とは異なるＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)が設定された場合(或いは複数のＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)が設定された場合)、該当セルに対する閉ループ電力制御(ｆ、ｇ関数)の初期値が０から始まることは好ましくない。
【０１４５】
従って、この場合、デフォルト(或いは特定基準で設定された)ＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)の累積値を初期値として使用するように規定できる。
【０１４６】
この時、どの時点の値を使用するかについては、基地局と端末の同じ理解ができるように上位又は物理階層信号により端末に知らせることができる。一例として、ｓＴＴＩ ＰＵＳＣＨ／ＰＵＣＣＨ送信時点で一定時点以前(例えば、１ｍｓ以前又は１ｓＴＴＩ以前)を基準としてデフォルト(或いは特定の基準で設定された)ＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)の累積値をＴＰＣ累積のための初期値として使用するように規定できる。これは、開ループ電力制御パラメータは共有しつつ、閉ループ電力制御は個々に独立して運用される場合に有用である。
【０１４７】
ＤＣＩフォーマット３／３ＡのようにＣＳＳ(ｃｏｍｍｏｎ ｓｅａｒｃｈ ｓｐａｃｅ)により送信されるＴＰＣの場合、該当ＴＰＣが送信された後、４ｍｓ以後から該当ＴＰＣを適用できる。もしＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)ごとにＴＰＣ手順を独立して行う場合は、ＤＣＩフォーマット３／３Ａも個々に存在し、ＤＣＩフォーマット３／３Ａを構成する時に各端末に対して各ＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)ごとのＴＰＣが含まれるように設計できる。
【０１４８】
この時、ＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)ごとにＤＣＩフォーマット３／３Ａを個々に構成するためには、ＴＰＣ−ＰＵＣＣＨ−ＲＮＴＩ及び／又はＴＰＣ−ＰＵＳＣＨ−ＲＮＴＩがＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)ごとに存在することができる。
【０１４９】
上りリンクチャネル送信電力制御(決定)のためのＭＣＳ又び符号化率に関連するパラメータ(例えば、上述したＬＴＥ ＵＬ電力制御におけるΔTxD(F′))がＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)ごとに独立して設定されることができる。
【０１５０】
ＰＵＣＣＨフォーマット１、２又は３の送信時、電力制御パラメータのうちの１つとしてｈ(nCQI、nHARQ、nSR)が存在する。このパラメータはＰＵＣＣＨで送信される制御ビット数が多くなるほどより高い電力を使用してＰＵＣＣＨが送信されるようにする。より詳しくは、上記"送信電力制御"の説明を参照できる。
【０１５１】
特定のＣＣ(ｃｏｍｐｏｎｅｎｔ ｃａｒｒｉｅｒ)に対してｓＴＴＩ動作が設定された端末の場合、上記電力制御規則に従う時、非効率的なＵＬ電力の割り当てをもたらすことができる。例えば、(ｓ)ＰＵＣＣＨが異なる(異なるＴＴＩ長さ及び／又は異なるタイプの)上りリンクチャネルと互いに衝突して、(ｓ)ＰＵＣＣＨのみが送信される場合、ｎCQI、ｎHARQ、ｎSR など(ｓ)ＰＵＣＣＨで元来送信される予定のビット数のみを含めるか、又は衝突した他の上りリンクチャネルで送信される予定のビット数まで含めるかが不明であり、前者によるＰＵＣＣＨ送信電力は適切ではない。従って、上記状況の端末において以下の動作を提案する。
【０１５２】
方法１：ＵＬ−ＳＣＨを送信するＴＢ(ｔｒａｎｓｐｏｒｔ ｂｌｏｃｋ)があっても、ｎSRは０ではないことができる(ｎｏｎ−ｚｅｒｏ)。一例として、ＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)ごとに独立したＳＲトリガーリング及び／又はリソース設定を運用する場合、特定のＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)に対するＵＬ−ＳＣＨを送信するＴＢが存在しても他のＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)のＳＲを送信する必要があり得、この場合、ｎＳＲ＝１又は０ではない他の値であることができる。
【０１５３】
方法２：(ｓ)ＰＵＣＣＨの送信時、これとは異なるＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)を有するチャネルとの衝突によって該当チャネルのＵＣＩを元来(ｓ)ＰＵＣＣＨに送信されるＵＣＩと共にジョイント符号化(ｊｏｉｎｔ ｃｏｄｉｎｇ)して送る必要があり得る。特徴的には、(ｓ)ＰＵＣＣＨフォーマット３で送信時、実際ＨＡＲＱ−ＡＣＫ情報ビット数は"元来(ｓ)ＰＵＣＣＨで送信されるＨＡＲＱ−ＡＣＫビット数"＋"異なるＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)を有するチャネルのＨＡＲＱ−ＡＣＫビット数"を併せた全体値である。より特徴的には、この時、"異なるＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)を有するチャネルのＨＡＲＱ−ＡＣＫビット数"は、上位階層信号によりバンドリングが設定された場合、該当バンドリング動作を終えた後の最終ビット数を意味する。
【０１５４】
異なるＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)を有するＳＰＳ(ｓｅｍｉ−ｐｅｒｓｉｓｔｅｎｔ ｓｃｈｅｄｕｌｉｎｇ)が定義される場合、各々のＳＰＳに対するＵＬ電力制御をどの方式で行うかについて決定する必要がある。１つの方案として、既存のＳＰＳ電力制御のために使用されたＤＣＩフォーマット３／３Ａを活用して異なるＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)を有するＳＰＳの電力制御を行う方法が考えられる。
【０１５５】
より詳しくは、異なるＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)を有するＳＰＳに対して個別的な電力制御を考えることができるが、この場合、電力制御のための情報を含むＤＣＩが各々のＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)を有するＰＤＣＣＨを介して個々に送信されることができる。ここで、電力制御のための情報とは、閉ループ電力制御のためのＴＰＣ命令情報を含む。一例として、１ｍｓ ＴＴＩ ＳＰＳとｓＴＴＩ ＳＰＳの電力制御は各々分離して運用でき、このためのＴＰＣ命令は１ｍｓ ＴＴＩ ＳＰＳの場合は、１ｍｓ ＤＣＩからのＴＰＣのみを、ｓＴＴＩ ＳＰＳの場合は、ｓＤＣＩからのＴＰＣのみを考慮して適用できる。これは既存のＴＰＣ−ＰＵＣＣＨ−ＲＮＴＩ／ＴＰＣ−ＰＵＳＣＨ−ＲＮＴＩをＣＲＣスクランブリングに活用することでもあり、別のＲＮＴＩを端末に設定することでもある。
【０１５６】
この時、ｓＴＴＩの場合、ＣＳＳが定義されないこともできるので、ＴＰＣ命令を含むＤＣＩフォーマット３／３Ａ又はそれに基づいて変形／創造されたＤＣＩフォーマットの(ｓ)ＰＤＣＣＨの場合、既存の動作とは異なる方式で送信されることが許容され、可能な方式を含めてｓＴＴＩ ＳＰＳ電力制御用途の(ｓ)ＰＤＣＣＨ送信方式を以下のように提案する。また、以下のオプションは各々独立して具現するか、又は一部又は全体の組み合わせが適用されることができる。
【０１５７】
オプション１：ｓＴＴＩ ＵＳＳの特定のＡＬ(ａｇｇｒｅｇａｔｉｏｎ ｌｅｖｅｌ)のみを用いて送信できる。特定のＡＬは予め定義／約束されるか、又は上位階層信号により設定される。一例として、該当ＵＳＳの支援可能なＡＬのうち、電力制御用途の(ｓ)ＰＤＣＣＨのためのＢＤ(ｂｌｉｎｄ ｄｅｃｏｄｉｎｇ)候補が含まれるＡＬに関する情報が端末に設定されることができる。
【０１５８】
オプション２:上記電力制御用途の(ｓ)ＰＤＣＣＨのためのＢＤ候補は、特定のsＰＤＣＣＨ ＲＢ集合のみに含まれるように規定できる。即ち、(ｓ)ＰＤＣＣＨのためのＢＤは特定のＲＢ集合のみで端末が行うものである。一例として、(ｓ)ＰＤＣＣＨのためのＢＤ候補はＣＲＳ−基盤のｓＰＤＣＣＨ ＲＢ集合のみに含まれるように規定できる。
【０１５９】
オプション３:上記電力制御用途の(ｓ)ＰＤＣＣＨのためのＢＤ候補数は、上位階層信号により設定されるか、又はＢＤ候補数はＡＬごとに独立して設定される。
【０１６０】
オプション４:上記電力制御用途の(ｓ)ＰＤＣＣＨは、特定のタイプ(例えば、ＣＲＳ基盤又はＤＭＲＳ基盤)及び／又はマッピング方法(例えば、局所的(ｌｏｃａｌｉｚｅｄ)方式又は分散的(ｄｉｓｔｒｉｂｕｔｅｄ)方式)のみに制限されるように予め定義又は設定される。
【０１６１】
オプション５:上記電力制御用途の(ｓ)ＰＤＣＣＨのための別途のｓＰＤＣＣＨ ＲＢ集合が設定されるように規定できる。また、上記電力制御用途の(ｓ)ＰＤＣＣＨのモニタリング関連情報を特に設定できる。端末は該当モニタリング関連情報により特定の(ｓ)ＴＴＩのみで電力制御用途の(ｓ)ＰＤＣＣＨが送信されると理解し、それに対してブラインド復号を行うことができる。又は上記電力制御用途の(ｓ)ＰＤＣＣＨが特定の(ｓ)ＴＴＩのみで送信されるように規定することもできる。一例として、上記電力制御用途の(ｓ)ＰＤＣＣＨはサブフレーム内の１番目或いはスロット内の１番目の(ｓ)ＴＴＩのみで送信されるように規定できる。
【０１６２】
オプション６：もし電力制御のための情報を含むＤＣＩが各々のＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)を有するＰＤＣＣＨを介して個々に送信されず、特定のＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)を有するＰＤＣＣＨを介して共に送信される場合は、どのＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)により電力制御のためのＤＣＩが送信されるかを予め定義／約束するか、又は上位階層信号により設定することができる。この場合、該当ＤＣＩにおいて、どのＴＰＣ値が自分のどのＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)のチャネルに適用されるかを予め上位階層信号により設定することができる。
【０１６３】
オプション７：デフォルト設定値とは異なるＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)のＳＰＳ電力制御用途の(ｓ)ＰＤＣＣＨのために、デフォルト値のＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)のＳＰＳ電力制御用途の(ｓ)ＰＤＣＣＨのためのＲＮＴＩ値とは独立して特にＲＮＴＩ値が設定されるように規定できる。
【０１６４】
該当ＲＮＴＩ値をＣＲＣスクランブリングに用いてセル−特定、端末グループ特定或いは端末−特定の(ｓ)ＰＤＣＣＨが送信され、これをデフォルト設定値とは異なるＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)のＳＰＳに対する閉ループ電力制御(例えば、ＴＰＣ命令による電力調整)に端末が活用するように規定できる。
【０１６５】
特徴的には、デフォルト設定値とは異なるＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)のＳＰＳに対する電力制御用途の(ｓ)ＰＤＣＣＨは、デフォルト値のＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)に該当する制御チャネルにより送信できる。
【０１６６】
又は電力調整の対象になるチャネルとそのための情報を含む制御チャネルの間のＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)に対するマッピング関係が予め定義／約束されるか、上位階層信号により設定されるか、又は物理階層信号(例えば、グループ−ＰＤＣＣＨ又はグループ−共通−信号)により指示されることもできる。
【０１６７】
オプション８：ｓＴＴＩの場合、ＣＳＳが定義されないこともできるので、ＴＰＣ命令を含むＤＣＩフォーマット３／３Ａ或いはそれに基づいて変形／創造されたセル−特定或いはグループ共通のＤＣＩフォーマット／信号の導入が容易ではない。従って、特定のＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)に対するＴＰＣ命令が、他のＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)に対するＴＰＣ命令にも解釈され、電力調整に使用できる。特徴的な一例として、１ｍｓ ＴＴＩ ＰＤＣＣＨによりＴＰＣ命令を含むＤＣＩフォーマット(例えば、ＤＣＩフォーマット ３／３Ａ)が送信され、端末は設定された情報によるＴＰＣ命令を読み出して１ｍｓ ＴＴＩとｓＴＴＩの電力調整に全て使用することができる。
【０１６８】
オプション９：さらに他の方案として、ＳＰＳ電力制御用途のセル−特定或いは端末グループ特定の(ｓ)ＰＤＣＣＨに対する開始ＣＣＥインデックス、或いは復号のためのＣＣＥ関連情報が上位階層信号により設定されるか、又は物理階層信号により指示されることができる。
【０１６９】
現在のＬＴＥ標準によれば、閉ループ電力制御のための電力制御の調整状態(即ち、ｆc(＊) ｆｏｒ ＰＵＳＣＨ、ｇ(＊￥ ｆｏｒ ＰＵＣＣＨ)は、Ｐ_０_ＵＥ_ＰＵＳＣＨ，ｃの値が変更されて設定される場合、ｆｃ(＊)の初期値が０に設定され、累積リセットが行われる。またＰ_０_ＵＥ_ＰＵＣＣＨ値が変更されて設定される場合にも、同様にｇ(＊)の初期値が０に設定されて累積リセットが行われる。
【０１７０】
現在ＴＴＩ長さが異なるＰＵＳＣＨ／ＰＵＣＣＨチャネルのためのＰ_０パラメータ(Ｐ_０_ＵＥ_ＰＵＳＣＨ,ｃ又はＰ_０_ＵＥ_ＰＵＣＣＨ)は、基準ＴＴＩ長さ(１ｍｓ ＴＴＩ)のパラメータを再使用するように規定されている。もし搬送波ごとにｓＴＴＩ動作が設定される場合、Ｐ_０_ＵＥ_ＰＵＳＣＨ,ｃ又はＰ_０_ＵＥ_ＰＵＣＣＨ値に変更がなければ、初期値の設定や累積リセットが意図とは異なることができる。一例として、Ｐ_０_ＵＥ_ＰＵＳＣＨ,ｃ又はＰ_０_ＵＥ_ＰＵＣＣＨ)値に変更がなければ、ｓＴＴＩ動作が設定された特定搬送波のｓＴＴＩのための電力制御調整状態の初期値設定に対する規則が現在の標準文書では存在せず、累積リセット動作も行われない。もし再設定やｓＴＴＩ長さ再設定のような状況でも、同様に初期値を０に設定することや累積リセットが行われないことは好ましくない。
【０１７１】
従って、特定搬送波(サービングセル)に対して基準値とは異なるＴＴＩ長さ及び／又は副搬送波間隔及び／又はＱｏＳ／遅延要求事項及び／又は信頼度要求事項(例えば、ターゲットＢＬＥＲ)及び／又は波形(例えば、ＤＦＴ−ｓ−ＯＦＤＭ又はＣＰ−ＯＦＤＭ)が設定される場合、該当ＴＴＩ長さ及び／又はニューマロロジー及び／又はプロセシング時間及び／又はＱｏＳ／遅延要求事項及び／又は信頼度要求事項(例えば、ターゲットＢＬＥＲ)及び／又は波形に対する電力制御調整の初期値が０に設定されるように、及び／又は累積リセット動作が行われるように規定できる。特徴的には、かかる動作はＰ_０_ＵＥ_ＰＵＳＣＨ，ｃ又はＰ_０_ＵＥ_ＰＵＣＣＨ値の変更有無に関係なく行われる。例えば、端末にレガシーＴＴＩ長さ(即ち、１ｍｓ)のみが設定されている状態でさらにｓＴＴＩが設定されると、ｓＴＴＩに対する電力制御調整の初期値が０に設定されるように、及び／又は累積リセット動作が行われるように規定できる。
【０１７２】
また、特定搬送波(サービングセル)に対して基準値とは異なる(或いは今まで設定された値とは異なる)ＴＴＩ長さ及び／又はニューマロロジー及び／又はプロセシング時間及び／又はＱｏＳ／遅延要求事項及び／又は信頼度要求事項(例えば、ターゲットＢＬＥＲ)及び／又は波形が再設定される場合、該当ＴＴＩ長さ及び／又はニューマロロジー及び／又はプロセシング時間及び／又はＱｏＳ／遅延要求事項及び／又は信頼度要求事項(例えば、ターゲットＢＬＥＲ)及び／又は波形に対する電力制御調整状態の初期値が０に設定されるように、及び／又は累積リセット動作が行われるように規定できる。特徴的には、かかる動作はＰ_０_ＵＥ_ＰＵＳＣＨ,ｃ又はＰ_０_ＵＥ_ＰＵＣＣＨ値の変更有無に関係なく行われる。例えば、端末にｓＴＴＩが設定されている状態でｓＴＴＩ関連設定が変更又は再設定されると、ｓＴＴＩに対する電力制御調整の初期値が０に設定されるように、及び／又は累積リセット動作が行われるように規定できる。
【０１７３】
又は、ネットワークの判断により、再設定の場合には、初期値が０に設定及び／又は累積リセット動作が行われないように規定される。物理／上位階層信号により初期値が０に設定及び／又は累積リセット動作を行うか否かが端末に指示／設定される。
【０１７４】
上記提案の初期値を０に設定する動作は、より一般的には、予め約束された、又は物理／上位階層信号により設定された特定値に設定する動作を含む。
【０１７５】
上述した提案方式に関する一例も本発明の具現方法の１つとして含まれることができ、一種の提案方式として見なされることができる。上記提案方式は独立して具現するか、又は一部提案方式の組み合わせ(又は併合)の形態で具現することができる。上記提案方法の適用有無に関する情報(又は提案方法の規則に関する情報)は、基地局が端末に予め定義されたシグナル(例えば、物理階層シグナル或いは上位階層シグナル)により知らせるように規定できる。
【０１７６】
図９は、本発明の実施例を実行する送信装置１０及び受信装置２０の構成要素を示すブロック図である。送信装置１０及び受信装置２０は、情報及び／又はデータ、信号、メッセージなどを運ぶ無線信号を送信又は受信できる送信機／受信機１３，２３と、無線通信システム内の通信と関連した各種情報を記憶するメモリ１２，２２と、送信機／受信機１３，２３及びメモリ１２，２２などの構成要素と動作的に接続してこれらの構成要素を制御し、当該装置が前述の本発明の実施例の少なくとも一つを実行するようにメモリ１２，２２及び／又は送信機／受信機１３，２３を制御するように構成されたプロセッサー１１，２１をそれぞれ備える。
【０１７７】
メモリ１２，２２は、プロセッサー１１，２１の処理及び制御のためのプログラムを格納することができ、入／出力される情報を仮記憶することができる。メモリ１２，２２がバッファーとして活用されてもよい。プロセッサー１１，２１は、一般に、送信装置又は受信装置内の各種モジュールの動作全般を制御する。特に、プロセッサー１１，２１は、本発明を実行するための各種制御機能を果たすことができる。プロセッサー１１，２１をコントローラ(ｃｏｎｔｒｏｌｌｅｒ)、マイクロコントローラ(ｍｉｃｒｏｃｏｎｔｒｏｌｌｅｒ)、マイクロプロセッサー(ｍｉｃｒｏｐｒｏｃｅｓｓｏｒ)、マイクロコンピュータ(ｍｉｃｒｏｃｏｍｐｕｔｅｒ)などと呼ぶこともできる。プロセッサー１１，２１は、ハードウェア(ｈａｒｄｗａｒｅ)又はファームウェア(ｆｉｒｍｗａｒｅ)、ソフトウェア、又はこれらの結合によって具現されてもよい。ハードウェアを用いて本発明を具現する場合は、本発明を実行するように構成されたＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)、ＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)などがプロセッサー１１，２１に設けられてもよい。一方、ファームウェアやソフトウェアを用いて本発明を具現する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサー１１，２１内に設けられたりメモリ１２，２２に格納されてプロセッサー１１，２１によって駆動されてもよい。
【０１７８】
送信装置１０におけるプロセッサー１１は、プロセッサー１１又はプロセッサー１１に接続しているスケジューラからスケジューリングされて外部に送信される信号及び／又はデータに対して所定の符号化(ｃｏｄｉｎｇ)及び変調(ｍｏｄｕｌａｔｉｏｎ)を行った後、送信機／受信機１３に送信する。例えば、プロセッサー１１は、送信しようとするデータ列を逆多重化、チャンネル符号化、スクランブリング、及び変調の過程などを経てＫ個のレイヤに変換する。符号化されたデータ列はコードワードとも呼ばれ、ＭＡＣ層が提供するデータブロックである伝送ブロックと等価である。一伝送ブロック(ｔｒａｎｓｐｏｒｔ ｂｌｏｃｋ，ＴＢ)は一コードワードに符号化され、各コードワードは一つ以上のレイヤの形態で受信装置に送信される。周波数上り変換のために送信機／受信機１３はオシレータ(ｏｓｃｉｌｌａｔｏｒ)を含むことができる。送信機／受信機１３はＮｔ個(Ｎｔは１以上の正の整数)の送信アンテナを含むことができる。
【０１７９】
受信装置２０の信号処理過程は、送信装置１０の信号処理過程の逆となる。プロセッサー２１の制御下に、受信装置２０の送信機／受信機２３は送信装置１０から送信された無線信号を受信する。送信機／受信機２３は、Ｎｒ個の受信アンテナを含むことができ、送信機／受信機２３は受信アンテナから受信した信号のそれぞれを周波数下り変換して(ｆｒｅｑｕｅｎｃｙ ｄｏｗｎ−ｃｏｎｖｅｒｔ)基底帯域信号に復元する。送信機／受信機２３は、周波数下り変換のためにオシレータを含むことができる。プロセッサー２１は、受信アンテナから受信した無線信号に対する復号(ｄｅｃｏｄｉｎｇ)及び復調(ｄｅｍｏｄｕｌａｔｉｏｎ)を行い、送信装置１０が本来送信しようとしたデータに復元することができる。
【０１８０】
送信機／受信機１３，２３は一つ以上のアンテナを具備する。アンテナは、プロセッサー１１，２１の制御下に、本発明の一実施例によって、送信機／受信機１３，２３で処理された信号を外部に送信したり、外部から無線信号を受信して送信機／受信機１３，２３に伝達する機能を果たす。アンテナはアンテナポートと呼ばれることもある。各アンテナは一つの物理アンテナに該当したり、２以上の物理アンテナ要素の組み合わせによって構成されてもよい。各アンテナから送信された信号は受信装置２０によってそれ以上分解されることはない。当該アンテナに対応して送信された参照信号(ｒｅｆｅｒｅｎｃｅ ｓｉｇｎａｌ，ＲＳ)は受信装置２０の観点で見たアンテナを定義し、チャンネルが一物理アンテナからの単一(ｓｉｎｇｌｅ)無線チャンネルであるか、或いは当該アンテナを含む複数の物理アンテナ要素からの合成(ｃｏｍｐｏｓｉｔｅ)チャンネルであるかに関係なく、受信装置２０にとって当該アンテナに対するチャンネル推定を可能にする。すなわち、アンテナは、該アンテナ上のシンボルを伝達するチャンネルが同一アンテナ上の他のシンボルが伝達される前記チャンネルから導出されるように定義される。複数のアンテナを用いてデータを送受信する多重入出力(Ｍｕｌｔｉ−Ｉｎｐｕｔ Ｍｕｌｔｉ−Ｏｕｔｐｕｔ、ＭＩＭＯ)機能を支援する送信機／受信機の場合は２個以上のアンテナに接続されてもよい。
【０１８１】
本発明の実施例において、端末又はＵＥは上りリンクでは送信装置１０として動作し、下りリンクでは受信装置２０として動作する。本発明の実施例において、基地局又はｅＮＢは上りリンクでは受信装置２０として動作し、下りリンクでは送信装置１０として動作する。
【０１８２】
送信装置及び／又は受信装置は、上述した本発明の実施例のうちの少なくとも１つ又は２つ以上の実施例の組み合わせを実行することができる。
【０１８３】
かかる提案の組み合わせの１つとして、無線通信システムにおいて送信電力を決定する端末であって、端末は受信機及び送信機;及び受信機及び送信機を制御するプロセッサを含み、短い送信時間間隔(ｓｈｏｒｔ ｔｒａｎｓｍｉｓｓｉｏｎ ｔｉｍｅ ｉｎｔｅｒｖａｌ；ｓＴＴＩ)の半持続的スケジューリング(ｓｅｍｉ−ｐｅｒｓｉｓｔｅｎｔ ｓｃｈｅｄｕｌｉｎｇ；ＳＰＳ)設定を受信し、該受信された設定によって、ＳＰＳ関連送信電力制御のための制御情報を受信し、また該受信された制御情報に含まれた送信電力制御(ｔｒａｎｓｍｉｔ ｐｏｗｅｒ ｃｏｎｔｒｏｌ；ＴＰＣ)命令を使用してＳＰＳ関連送信電力を決定し、制御情報はｓＴＴＩを含む複数のＴＴＩ長さ各々のためのＳＰＳ関連ＴＰＣ命令を含む。
【０１８４】
さらに又はその代わりに、端末の送信電力制御が累積値基盤の動作又は絶対値基盤の動作のうちのいずれかであるかがＴＴＩ長さごとに設定される。
【０１８５】
さらに又はその代わりに、端末のためのサービングセルに対してｓＴＴＩが設定されるか、又はｓＴＴＩ関連設定が再設定されると、ＳＰＳ関連送信電力の決定に使用される電力制御調整状態のリセット後の初期値は０に設定される。
【０１８６】
さらに又はその代わりに、端末の送信電力制御が累積値基盤の動作により設定される場合、端末のためのサービングセルに対してｓＴＴＩが設定されるか、又はｓＴＴＩ関連設定が再設定されると、プロセッサはサービングセルに対して累積リセットを行う。
【０１８７】
さらに又はその代わりに、端末のためのサービングセルに対してｓＴＴＩが設定されるか、又はｓＴＴＩ関連設定が再設定されると、ＳＰＳ関連送信電力の決定に使用される電力制御調整状態のリセット後の初期値は所定の長さのＴＴＩ基盤の累積値に設定される。
【０１８８】
さらに又はその代わりに、制御情報は所定の長さのＴＴＩ基盤の制御チャネル上で受信される。
【０１８９】
さらに又はその代わりに、制御情報をスクランブルした識別子は所定の長さのＴＴＩ基盤の制御情報をスクランブルした識別子とは異なる。
【０１９０】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである。
【産業上の利用可能性】
【０１９１】
本発明は端末、リレー、基地局などのような無線通信装置に利用可能である。
【図１】
0006961718.tif 000023
【図２】
0006961718.tif 000024
【図３】
0006961718.tif 000025
【図４】
0006961718.tif 000026
【図５】
0006961718.tif 000027
【図６】
0006961718.tif 000028
【図７】
0006961718.tif 000029
【図８】
0006961718.tif 000030
【図９】
0006961718.tif 000031